(57)【要約】【課題】複数の移動局装置と基地局装置から構成される通信システムにおいて、伝搬路の測定用の参照信号の送信を制御し、基地局装置が移動局装置に対するチャネル品質の測定を柔軟に効率良く行うことを可能にする。【解決手段】サウンディング参照信号の送信指示と第一の情報を含む上りリンクグラントの検出処理を行う受信処理部と、前記受信処理部においてサウンディング参照信号の送信指示を含む上りリンクグラントが検出された場合、サウンディング参照信号を送信するサブフレームとしてセル固有のサブフレーム、またはセル固有のサブフレームの中で予め基地局装置より構成されたサブフレームである移動局装置固有のサブフレームを前記第一の情報に基づいて設定する制御部と、前記制御部において設定されたサブフレームでサウンディング参照信号を送信する送信処理部と、を有する。【選択図】図４
2012095184.tif 000002
【特許請求の範囲】
【請求項１】
基地局装置と通信する移動局装置であって、
サウンディング参照信号の送信指示と第一の情報を含む上りリンクグラントの検出処理を行う受信処理部と、
前記受信処理部においてサウンディング参照信号の送信指示を含む上りリンクグラントが検出された場合、サウンディング参照信号を送信するサブフレームとしてセル固有のサブフレーム、またはセル固有のサブフレームの中で予め基地局装置より構成されたサブフレームである移動局装置固有のサブフレームを前記第一の情報に基づいて設定する制御部と、
前記制御部において設定されたサブフレームでサウンディング参照信号を送信する送信処理部と、を有することを特徴とする移動局装置。
【請求項２】
前記セル固有のサブフレームは、移動局装置固有ではないサブフレームも含むことを特徴とする請求項１に記載の移動局装置。
【請求項３】
前記制御部は、サウンディング参照信号を送信するサブフレームとして、上りリンクグラントが検出されたサブフレームから所定数のサブフレーム以降のサブフレームを設定することを特徴とする請求項１に記載の移動局装置。
【請求項４】
前記第一の情報は、サウンディング参照信号に用いられるパラメータが上りリンクグラントで示される情報に基づくか否かを示す情報であり、
前記制御部は、前記第一の情報がサウンディング参照信号に用いられるパラメータが上りリンクグラントで示される情報に基づくことを示した場合、サウンディング参照信号を送信するサブフレームとしてセル固有のサブフレームを設定し、前記第一の情報がサウンディング参照信号に用いられるパラメータが上りリンクグラントで示される情報に基づくことを示さなかった場合、サウンディング参照信号を送信するサブフレームとして移動局装置固有のサブフレームを設定することを特徴とする請求項１に記載の移動局装置。
【請求項５】
前記送信処理部は、前記第一の情報がサウンディング参照信号に用いられるパラメータが上りリンクグラントで示される情報に基づくことを示した場合、サウンディング参照信号の送信指示を含む上りリンクグラントで示されるパラメータに基づきサウンディング参照信号を送信し、前記第一の情報がサウンディング参照信号に用いられるパラメータが上りリンクグラントで示される情報に基づくことを示さなかった場合、予め基地局装置より構成されたパラメータに基づきサウンディング参照信号を送信することを特徴とする請求項４に記載の移動局装置。
【請求項６】
複数の移動局装置および前記複数の移動局装置と通信を行う基地局装置から構成される通信システムであって、
前記基地局装置は、
前記移動局装置に対して信号を送信する送信部と、
前記移動局装置から信号を受信する受信部と、
前記受信部で受信されたサウンディング参照信号からチャネル品質を測定する上りリンクチャネル品質測定部と、を有し、
前記移動局装置は、
サウンディング参照信号の送信指示と第一の情報を含む上りリンクグラントの検出処理を行う受信処理部と、
前記受信処理部においてサウンディング参照信号の送信指示を含む上りリンクグラントが検出された場合、サウンディング参照信号を送信するサブフレームとしてセル固有のサブフレーム、またはセル固有のサブフレームの中で予め基地局装置より構成されたサブフレームである移動局装置固有のサブフレームを前記第一の情報に基づいて設定する制御部と、
前記制御部において設定されたサブフレームでサウンディング参照信号を送信する送信処理部と、を有することを特徴とする通信システム。
【請求項７】
基地局装置と通信する移動局装置に用いられる通信方法であって、
サウンディング参照信号の送信指示と第一の情報を含む上りリンクグラントの検出処理を行うステップと、
サウンディング参照信号の送信指示を含む上りリンクグラントが検出された場合、サウンディング参照信号を送信するサブフレームとしてセル固有のサブフレーム、またはセル固有のサブフレームの中で予め基地局装置より構成されたサブフレームである移動局装置固有のサブフレームを前記第一の情報に基づいて設定するステップと、
設定されたサブフレームでサウンディング参照信号を送信するステップと、を少なくとも含むことを特徴とする通信方法。
【請求項８】
移動局装置に実装されることにより、前記移動局装置に複数の機能を発揮させる集積回路であって、
基地局装置と通信する機能と、
サウンディング参照信号の送信指示と第一の情報を含む上りリンクグラントの検出処理を行う機能と、
サウンディング参照信号の送信指示を含む上りリンクグラントが検出された場合、サウンディング参照信号を送信するサブフレームとしてセル固有のサブフレーム、またはセル固有のサブフレームの中で予め基地局装置より構成されたサブフレームである移動局装置固有のサブフレームを前記第一の情報に基づいて設定する機能と、
設定されたサブフレームでサウンディング参照信号を送信する機能と、を含む一連の機能を、前記移動局装置に発揮させることを特徴とする集積回路。
【発明の詳細な説明】
【技術分野】
【０００１】
本発明は、複数の移動局装置と基地局装置から構成される通信システムにおいて、伝搬路の測定用の参照信号の送信を制御し、基地局装置が移動局装置に対するチャネル品質の測定を適切に行うことができる移動局装置、通信システム、通信方法および集積回路に関する。
【背景技術】
【０００２】
セルラー移動通信の無線アクセス方式および無線ネットワークの進化（以下、「Long Term Evolution (LTE)」、または、「Evolved Universal Terrestrial Radio Access (EUTRA)」と呼称する。）が、第三世代パートナーシッププロジェクト（3rd Generation Partnership Project: 3GPP）において仕様化されている。ＬＴＥでは、基地局装置から移動局装置への無線通信（下りリンク; DLと呼称する。）の通信方式として、マルチキャリア送信である直交周波数分割多重（Orthogonal Frequency Division Multiplexing: OFDM）方式が用いられる。また、ＬＴＥでは、移動局装置から基地局装置への無線通信（上りリンク; ULと呼称する。）の通信方式として、シングルキャリア送信であるＳＣ−ＦＤＭＡ（Single-Carrier Frequency Division Multiple Access）方式が用いられる。ＬＴＥでは、ＳＣ−ＦＤＭＡ方式としてＤＦＴ−Ｓｐｒｅａｄ  ＯＦＤＭ（Discrete Fourier Transform-Spread OFDM）方式が用いられる。
【０００３】
３ＧＰＰでは、ＬＴＥより効率的な通信を実現する無線アクセス方式および無線ネットワーク（以下、「Long Term Evolution-Advanced (LTE-A)」、または、「Advanced Evolved Universal Terrestrial Radio Access (A-EUTRA)」と呼称する。）が検討されている。ＬＴＥ−Ａでは、ＬＴＥとの後方互換性を実現することが求められている。ＬＴＥ−Ａに対応した基地局装置が、ＬＴＥ−Ａに対応した移動局装置およびＬＴＥに対応した移動局装置の両方の移動局装置と同時に通信を行うこと、およびＬＴＥ−Ａに対応した移動局装置が、ＬＴＥ−Ａに対応した基地局装置およびＬＴＥに対応した基地局装置と通信を行うことを実現することがＬＴＥ−Ａに対して要求される。その要求を実現するためにＬＴＥ−ＡではＬＴＥと同一のチャネル構造を少なくともサポートすることが検討されている。チャネルとは、信号の送信に用いられる媒体を意味し、チャネルの種類としては、下りリンクのデータおよび制御情報の送受信に用いられる物理下りリンク共用チャネル（Physical Downlink Shared CHannel: PDSCH）、下りリンクの制御情報の送受信に用いられる物理下りリンク制御チャネル（Physical Downlink Control CHannel: PDCCH）、上りリンクのデータおよび制御情報の送受信に用いられる物理上りリンク共用チャネル（Physical Uplink Shared CHannel: PUSCH）、上りリンクの制御情報の送受信に用いられる物理上りリンク制御チャネル（Physical Uplink Control CHannel: PUCCH）、下りリンクの同期確立のために用いられる同期チャネル（Synchronization CHannel: SCH）、上りリンクの同期確立のために用いられる物理ランダムアクセスチャネル（Physical Random Access CHannel: PRACH）、下りリンクのシステム情報の送信に用いられる物理報知チャネル（Physical Broadcast CHannel: PBCH）等がある。移動局装置、または基地局装置は、制御情報、データなどから生成した信号を各チャネルに配置して、送信する。
【０００４】
ＬＴＥ−Ａでは、基地局装置からＰＤＣＣＨで送信指示が通知された時だけ送信するサウンディング参照信号（非周期サウンディング参照信号; A-SRS: Aperiodic Sounding Reference Signal）が提案されている。Ａ−ＳＲＳは、基地局装置が移動局装置に対して伝搬路の測定を行うために用いられ、測定された結果は周波数スケジューリング、適応変調などに用いられる。Ａ−ＳＲＳの送信指示に関する情報（A-SRS activation / deactivation）が下りリンク制御情報（DCI: Downlink Control Information）に含められる。移動局装置は、検出した下りリンク制御情報に含められたＡ−ＳＲＳの送信指示に関する情報に基づき、基地局装置がＡ−ＳＲＳの送信を指示しているか否かを判断し、動的（ダイナミック）にＡ−ＳＲＳの送信の制御を行う。ここで、動的な制御とはサブフレーム毎の制御を意味する。
【０００５】
ＬＴＥ−Ａでは、移動局装置がＡ−ＳＲＳの送信指示を検出した場合、予め基地局装置より設定されたパラメータのセットを用いてＡ−ＳＲＳを送信する方法と、下りリンク制御情報で示されるパラメータのセットを用いてＡ−ＳＲＳを送信する方法を切り替えて用いることが検討されている（非特許文献１）。何れの方法を用いるかを示す情報が、Ａ−ＳＲＳの送信指示に関する情報を含む下りリンク制御情報に含まれる。
【先行技術文献】
【非特許文献】
【０００６】
【非特許文献１】3GPP TSG RAN1 #62bis、Xian、China、11-15、October、2010、R1-105787“Way Forward on Aperiodic SRS”
【発明の概要】
【発明が解決しようとする課題】
【０００７】
基地局装置は、各移動局装置に対して用いられるリソースが衝突しないようにＡ−ＳＲＳのリソースを各移動局装置に対して設定する必要がある。一方、基地局装置は必要な場合に出来る限り早くＡ−ＳＲＳを移動局装置に送信させ、受信したＡ−ＳＲＳより測定した伝搬路推定値、チャネル品質を用いて適した周波数スケジューリング、適応変調を実行し、低遅延で通信を開始することが望ましい。
【０００８】
本発明は上記の点に鑑みてなされたものであり、その目的は、複数の移動局装置と基地局装置から構成される通信システムにおいて、伝搬路の測定用の参照信号の送信を制御し、基地局装置が移動局装置に対するチャネル品質の測定を適切に行うことができる移動局装置、通信システム、通信方法および集積回路に関する。
【課題を解決するための手段】
【０００９】
（１）上記の目的を達成するために、本発明は、以下のような手段を講じた。すなわち、本発明の移動局装置は、基地局装置と通信する移動局装置であって、サウンディング参照信号の送信指示と第一の情報を含む上りリンクグラントの検出処理を行う受信処理部と、前記受信処理部においてサウンディング参照信号の送信指示を含む上りリンクグラントが検出された場合、サウンディング参照信号を送信するサブフレームとしてセル固有のサブフレーム、またはセル固有のサブフレームの中で予め基地局装置より構成されたサブフレームである移動局装置固有のサブフレームを前記第一の情報に基づいて設定する制御部と、前記制御部において設定されたサブフレームでサウンディング参照信号を送信する送信処理部と、を有することを特徴とする。
【００１０】
このように、Ａ−ＳＲＳの送信指示を示す情報と共に上りリンク含まれる第一の情報に基づいて、Ａ−ＳＲＳを送信する上りリンクサブフレームとしてＣｅｌｌ  ｓｐｅｃｉｆｉｃ  ＳＲＳ  ｓｕｂｆｒａｍｅ、またはＵＥ  ｓｐｅｃｉｆｉｃ  ＳＲＳ  ｓｕｂｆｒａｍｅを設定することにより、基地局装置は上りリンクサブフレーム毎に動的に、柔軟にＡ−ＳＲＳの送信を移動局装置に対して制御することができ、上りリンクのチャネル品質を効率良く測定することができる。
【００１１】
（２）また、本発明の移動局装置において、前記セル固有のサブフレームは、移動局装置固有ではないサブフレームも含むことを特徴とする。
【００１２】
このように、Ｃｅｌｌ  ｓｐｅｃｉｆｉｃ  ＳＲＳ  ｓｕｂｆｒａｍｅは、ＵＥ  ｓｐｅｃｉｆｉｃＳＲＳ  ｓｕｂｆｒａｍｅ、またはＵＥ  ｓｐｅｃｉｆｉｃ  ＳＲＳ  ｓｕｂｆｒａｍｅではない上りリンクサブフレームを含むことにより、基地局装置はＣｅｌｌ  ｓｐｅｃｉｆｉｃ  ＳＲＳ  ｓｕｂｆｒａｍｅに対して、柔軟にＡ−ＳＲＳの送信を移動局装置に対して制御することができ、上りリンクのチャネル品質を効率良く測定することができる。
【００１３】
（３）また、本発明の移動局装置において、前記制御部は、サウンディング参照信号を送信するサブフレームとして、上りリンクグラントが検出されたサブフレームから所定数のサブフレーム以降のサブフレームを設定することを特徴とする。
【００１４】
このように、Ａ−ＳＲＳの送信指示を示す情報を含む上りリンクグラントが検出されたタイミングから４個の上りリンクサブフレーム以降の上りリンクサブフレームをＡ−ＳＲＳの送信に用いる上りリンクサブフレームに設定することにより、上りリンクグラントの検出処理、ＳＲＳの送信設定などに係る処理遅延を考慮して、適切にＡ−ＳＲＳを移動局装置に送信させることができる。
【００１５】
（４）また、本発明の移動局装置において、前記第一の情報は、サウンディング参照信号に用いられるパラメータが上りリンクグラントで示される情報に基づくか否かを示す情報であり、前記制御部は、前記第一の情報がサウンディング参照信号に用いられるパラメータが上りリンクグラントで示される情報に基づくことを示した場合、サウンディング参照信号を送信するサブフレームとしてセル固有のサブフレームを設定し、前記第一の情報がサウンディング参照信号に用いられるパラメータが上りリンクグラントで示される情報に基づくことを示さなかった場合、サウンディング参照信号を送信するサブフレームとして移動局装置固有のサブフレームを設定することを特徴とする。
【００１６】
このように、Ａ−ＳＲＳに用いられるパラメータが上りリンクグラントで示される情報に基づくか否かを示す情報に基づいてＡ−ＳＲＳを送信する上りリンクサブフレームを設定し、Ａ−ＳＲＳに用いられるパラメータが上りリンクグラントで示される情報に基づくことを示された場合、Ａ−ＳＲＳを送信する上りリンクサブフレームとしてＣｅｌｌ  ｓｐｅｃｉｆｉｃ  ＳＲＳ  ｓｕｂｆｒａｍｅを設定し、Ａ−ＳＲＳに用いられるパラメータが上りリンクグラントで示される情報に基づくことを示されなかった場合、Ａ−ＳＲＳを送信する上りリンクサブフレームとしてＵＥ  ｓｐｅｃｉｆｉｃ  ＳＲＳ  ｓｕｂｆｒａｍｅを設定することにより、基地局装置は柔軟にＡ−ＳＲＳの送信を移動局装置に対して制御することができ、上りリンクのチャネル品質を効率良く測定することができる。
【００１７】
（５）また、本発明の移動局装置において、前記送信処理部は、前記第一の情報がサウンディング参照信号に用いられるパラメータが上りリンクグラントで示される情報に基づくことを示した場合、サウンディング参照信号の送信指示を含む上りリンクグラントで示されるパラメータに基づきサウンディング参照信号を送信し、前記第一の情報がサウンディング参照信号に用いられるパラメータが上りリンクグラントで示される情報に基づくことを示さなかった場合、予め基地局装置より構成されたパラメータに基づきサウンディング参照信号を送信することを特徴とする。
【００１８】
このように、Ａ−ＳＲＳに用いられるパラメータが上りリンクグラントで示される情報に基づくことを示した場合、Ｃｅｌｌ  ｓｐｅｃｉｆｉｃ  ＳＲＳ  ｓｕｂｆｒａｍｅで上りリンクグラントで示されるパラメータに基づくリソースでＡ−ＳＲＳを送信し、Ａ−ＳＲＳに用いられるパラメータが上りリンクグラントで示される情報に基づくことを示さなかった場合、ＵＥ  ｓｐｅｃｉｆｉｃ  ＳＲＳ  ｓｕｂｆｒａｍｅで予め基地局装置より構成されたパラメータに基づくリソースでＡ−ＳＲＳを送信することにより、基地局装置は管理するセル内において各移動局装置に対するスケジューリングの結果、ＳＲＳに用いるリソースに余裕が生じた場合は、リソースの利用状況に合わせて広い周波数帯域のチャネル品質を高速に測定することができる。
【００１９】
（６）また、本発明の通信システムは、複数の移動局装置および前記複数の移動局装置と通信を行う基地局装置から構成される通信システムであって、前記基地局装置は、前記移動局装置に対して信号を送信する送信部と、前記移動局装置から信号を受信する受信部と、前記受信部で受信されたサウンディング参照信号からチャネル品質を測定する上りリンクチャネル品質測定部と、を有し、前記移動局装置は、サウンディング参照信号の送信指示と第一の情報を含む上りリンクグラントの検出処理を行う受信処理部と、前記受信処理部においてサウンディング参照信号の送信指示を含む上りリンクグラントが検出された場合、サウンディング参照信号を送信するサブフレームとしてセル固有のサブフレーム、またはセル固有のサブフレームの中で予め基地局装置より構成されたサブフレームである移動局装置固有のサブフレームを前記第一の情報に基づいて設定する制御部と、前記制御部において設定されたサブフレームでサウンディング参照信号を送信する送信処理部と、を有することを特徴とする。
【００２０】
このように、Ａ−ＳＲＳの送信指示を示す情報と共に上りリンク含まれる第一の情報に基づいて、Ａ−ＳＲＳを送信する上りリンクサブフレームとしてＣｅｌｌ  ｓｐｅｃｉｆｉｃ  ＳＲＳ  ｓｕｂｆｒａｍｅ、またはＵＥ  ｓｐｅｃｉｆｉｃ  ＳＲＳ  ｓｕｂｆｒａｍｅを設定することにより、基地局装置は上りリンクサブフレーム毎に動的に、柔軟にＡ−ＳＲＳの送信を移動局装置に対して制御することができ、上りリンクのチャネル品質を効率良く測定することができる。
【００２１】
（７）また、本発明の通信方法は、基地局装置と通信する移動局装置に用いられる通信方法であって、サウンディング参照信号の送信指示と第一の情報を含む上りリンクグラントの検出処理を行うステップと、サウンディング参照信号の送信指示を含む上りリンクグラントが検出された場合、サウンディング参照信号を送信するサブフレームとしてセル固有のサブフレーム、またはセル固有のサブフレームの中で予め基地局装置より構成されたサブフレームである移動局装置固有のサブフレームを前記第一の情報に基づいて設定するステップと、設定されたサブフレームでサウンディング参照信号を送信するステップと、を少なくとも含むことを特徴とする。
【００２２】
このように、Ａ−ＳＲＳの送信指示を示す情報と共に上りリンク含まれる第一の情報に基づいて、Ａ−ＳＲＳを送信する上りリンクサブフレームとしてＣｅｌｌ  ｓｐｅｃｉｆｉｃ  ＳＲＳ  ｓｕｂｆｒａｍｅ、またはＵＥ  ｓｐｅｃｉｆｉｃ  ＳＲＳ  ｓｕｂｆｒａｍｅを設定することにより、基地局装置は上りリンクサブフレーム毎に動的に、柔軟にＡ−ＳＲＳの送信を移動局装置に対して制御することができ、上りリンクのチャネル品質を効率良く測定することができる。
【００２３】
（８）また、本発明の集積回路は、移動局装置に実装されることにより、前記移動局装置に複数の機能を発揮させる集積回路であって、基地局装置と通信する機能と、サウンディング参照信号の送信指示と第一の情報を含む上りリンクグラントの検出処理を行う機能と、サウンディング参照信号の送信指示を含む上りリンクグラントが検出された場合、サウンディング参照信号を送信するサブフレームとしてセル固有のサブフレーム、またはセル固有のサブフレームの中で予め基地局装置より構成されたサブフレームである移動局装置固有のサブフレームを前記第一の情報に基づいて設定する機能と、設定されたサブフレームでサウンディング参照信号を送信する機能と、を含む一連の機能を、前記移動局装置に発揮させることを特徴とする。
【００２４】
このように、Ａ−ＳＲＳの送信指示を示す情報と共に上りリンク含まれる第一の情報に基づいて、Ａ−ＳＲＳを送信する上りリンクサブフレームとしてＣｅｌｌ  ｓｐｅｃｉｆｉｃ  ＳＲＳ  ｓｕｂｆｒａｍｅ、またはＵＥ  ｓｐｅｃｉｆｉｃ  ＳＲＳ  ｓｕｂｆｒａｍｅを設定することにより、基地局装置は上りリンクサブフレーム毎に動的に、柔軟にＡ−ＳＲＳの送信を移動局装置に対して制御することができ、上りリンクのチャネル品質を効率良く測定することができる。
【発明の効果】
【００２５】
この発明によれば、伝搬路の測定用の参照信号の送信を制御し、基地局装置が移動局装置に対するチャネル品質の測定を適切に行うことができる。
【図面の簡単な説明】
【００２６】
【図１】本発明の実施形態に係る基地局装置３の構成を示す概略ブロック図である。
【図２】本発明の実施形態に係る基地局装置３の送信処理部１０７の構成を示す概略ブロック図である。
【図３】本発明の実施形態に係る基地局装置３の受信処理部１０１の構成を示す概略ブロック図である。
【図４】本発明の実施形態に係る移動局装置５の構成を示す概略ブロック図である。
【図５】本発明の実施形態に係る移動局装置５の受信処理部４０１の構成を示す概略ブロック図である。
【図６】本発明の実施形態に係る移動局装置５の送信処理部４０７の構成を示す概略ブロック図である。
【図７】本発明の実施形態に係る移動局装置５のＡ−ＳＲＳの送信例を示す図である。
【図８】本発明の実施形態に係る移動局装置５の制御部４０５のＡ−ＳＲＳを送信する上りリンクサブフレームの設定に関する処理の一例を示すフローチャートである。
【図９】本発明の実施形態に係る通信システムの全体像についての概略を説明する図である。
【図１０】本発明の実施形態に係る基地局装置３から移動局装置５への下りリンクの無線フレームの概略構成を示す図である。
【図１１】本発明の実施形態におけるＤＣＩ  ｆｏｒｍａｔ  ０Ａの情報フィールドの一例を示す図である。
【図１２】本発明の実施形態に係る移動局装置５から基地局装置３への上りリンクの無線フレームの概略構成を示す図である。
【図１３】本発明の実施形態に係るＳＲＳの周波数帯域幅と周波数位置の構成例を示す図である。
【図１４】本発明の実施形態に係るＣｅｌｌ  ｓｐｅｃｉｆｉｃ  ＳＲＳ  ｓｕｂｆｒａｍｅとＵＥ  ｓｐｅｃｉｆｉｃ  ＳＲＳ  ｓｕｂｆｒａｍｅの構成例を示す図である。
【図１５】本発明の実施形態に係る移動局装置５のＵＥ  ｓｐｅｃｉｆｉｃ  ＳＲＳ  ｓｕｂｆｒａｍｅに予め構成されるＡ−ＳＲＳの候補リソースの構成例を示す図である。
【図１６】本発明の実施形態に係る移動局装置５のＵＥ  ｓｐｅｃｉｆｉｃ  ＳＲＳ  ｓｕｂｆｒａｍｅに予め構成されるＡ−ＳＲＳの候補リソースの構成例を示す図である。
【図１７】本発明の実施形態に係る移動局装置５のＵＥ  ｓｐｅｃｉｆｉｃ  ＳＲＳ  ｓｕｂｆｒａｍｅに予め構成されるＡ−ＳＲＳの候補リソースの構成例を示す図である。
【発明を実施するための形態】
【００２７】
以下、図面を参照しながら本発明の実施形態について詳しく説明する。まず、図９〜図１７を用いて、本実施形態に係る通信システムの全体像、および無線フレームの構成などについて説明する。次に、図１〜図６を用いて、本実施形態に係る通信システムの構成について説明する。次に、図７〜図８を用いて、本実施形態に係る通信システムの動作処理について説明する。
【００２８】
＜通信システムの全体像＞
図９は、本発明の実施形態に係る通信システムの全体像についての概略を説明する図である。この図が示す通信システム１は、基地局装置（eNodeB、NodeBとも呼称する。）３と、複数の移動局装置（UE: User Equipmentとも呼称する。）５Ａ、５Ｂ、５Ｃとが通信を行う。以下、本実施形態において、移動局装置５Ａ、５Ｂ、５Ｃを移動局装置５と呼び、説明を行う。また、基地局装置３が管轄するエリアのことをセル（Cell）と呼ぶ。また、この図は、基地局装置３から移動局装置５への通信方向である下りリンク（DL: Downlinkとも呼称する。）が、下りリンクパイロットチャネル、物理下りリンク制御チャネル（PDCCH: Physical Downlink Control CHannelとも呼称する。）、および物理下りリンク共用チャネル（PDSCH: Physical Downlink Shared CHannelとも呼称する。）を含んで構成されることを示す。また、この図は、移動局装置５から基地局装置３への通信方向である上りリンク（UL: Uplinkとも呼称する。）が、物理上りリンク共用チャネル（PUSCH: PhysicalUplink Shared CHannelとも呼称する。）、上りリンクパイロットチャネル、および物理上りリンク制御チャネル（PUCCH: Physical Uplink Control CHannelとも呼称する。）を含んで構成されることを示す。
【００２９】
チャネルとは、信号の送信に用いられる媒体を意味する。ＰＤＳＣＨは、下りリンクのデータおよび制御情報の送受信に用いられるチャネルである。ＰＤＣＣＨは、下りリンクの制御情報の送受信に用いられるチャネルである。ＰＵＳＣＨは、上りリンクのデータおよび制御情報の送受信に用いられるチャネルである。ＰＵＣＣＨは、上りリンクの制御情報（上りリンク制御情報; Uplink Control Information: UCI）の送受信に用いられるチャネルである。ＵＣＩの種類としては、ＰＤＳＣＨの下りリンクのデータに対する肯定応答（Acknowledgement: ACK）、または否定応答（Negative Acknowledgement: NACK）を示す受信確認応答（ACK/NACK）と、リソースの割り当てを要求するか否かを示すスケジューリング要求（Scheduling request: SR）等が存在する。なお、ＰＵＳＣＨは、ＵＣＩの送受信にも用いられる。その他のチャネルの種類としては、下りリンクの同期確立のために用いられる同期チャネル（Synchronization CHannel: SCH）、上りリンクの同期確立のために用いられる物理ランダムアクセスチャネル（Physical Random Access CHannel: PRACH）、下りリンクのシステム情報の送信に用いられる物理報知チャネル（Physical Broadcast CHannel: PBCH）等が用いられる。また、ＰＤＳＣＨは下りリンクのシステム情報の送信にも用いられる。
【００３０】
上りリンクパイロットチャネルに用いられる参照信号は、上りリンク参照信号（UpLink Reference Signal: UL RS）と呼称する。ＵＬ  ＲＳは、サウンディング参照信号（Sounding Reference Signal: SRS）と復調参照信号（DeModulation Reference Signal: DM RS）の２種類が用いられる。ＳＲＳは、基地局装置３が移動局装置５に対して伝搬路の変動を推定し、推定した結果をＰＵＳＣＨに対する周波数スケジューリング、適応変調に用いるために使われる。ＤＭ  ＲＳは、基地局装置３が移動局装置５から受信したＰＵＳＣＨ、ＰＵＣＣＨの復調に用いるために使われる。ＳＲＳは、予め基地局装置より設定されたサブフレームで周期的に参照信号を送信する周期サウンディング参照信号（Periodic SRS: P-SRS）、ＰＤＣＣＨで送信指示が通知されたタイミングに基づくサブフレームで非周期的に参照信号を送信する非周期サウンディング参照信号（Aperiodic SRS: A-SRS）の２種類が用いられる。本願はＡ−ＳＲＳに関する内容であり、説明の簡略化のため、本実施形態ではＤＭ  ＲＳ、Ｐ−ＳＲＳに関する説明を適宜省略する。
【００３１】
＜下りリンク無線フレームの構成＞
図１０は、本発明の実施形態に係る基地局装置３から移動局装置５への下りリンクの無線フレーム（下りリンク無線フレームと呼称する。）の概略構成を示す図である。この図において、横軸は時間領域、縦軸は周波数領域を表している。下りリンク無線フレームは、リソースの割り当てなどの単位であり、下りリンクの予め決められた幅の周波数帯および時間帯からなるリソースブロック（RB）（物理リソースブロック; PRB: Physical Resource Blockとも呼称する。）のペア（物理リソースブロックペア; PRB pairと呼称する。）から構成される。１個の下りリンクの物理リソースブロックペア（下りリンク物理リソースブロックペアと呼称する。）は、下りリンクの時間領域で連続する２個の物理リソースブロック（下りリンク物理リソースブロックと呼称する。）から構成される。
【００３２】
また、この図において、１個の下りリンク物理リソースブロックは、下りリンクの周波数領域において１２個のサブキャリア（下りリンクサブキャリアと呼称する。）から構成され、時間領域において７個のＯＦＤＭ（直交周波数分割多重; Orthogonal Frequency Division Multiplexing）シンボルから構成される。下りリンクのシステム帯域（下りリンクシステム帯域と呼称する。）は、基地局装置３の下りリンクの通信帯域である。下りリンクシステム帯域では、下りリンクのシステム帯域幅（下りリンクシステム帯域幅と呼称する。）に応じて複数の下りリンク物理リソースブロックが配置される。例えば、２０ＭＨｚの周波数帯域幅の下りリンクシステム帯域は、１００個の下りリンク物理リソースブロックから構成される。
【００３３】
また、この図が示す時間領域においては、７個のＯＦＤＭシンボルから構成されるスロット（下りリンクスロットと呼称する。）、２個の下りリンクスロットから構成されるサブフレーム（下りリンクサブフレームと呼称する。）、１０個の下りリンクサブフレームから構成される下りリンク無線フレームがある。なお、１個の下りリンクサブキャリアと１個のＯＦＤＭシンボルから構成されるユニットをリソースエレメント（RE）（下りリンクリソースエレメント）と呼称する。各下りリンクサブフレームには少なくとも、情報データ（トランスポートブロック; Transport Blockとも呼称する。）の送信に用いられるＰＤＳＣＨ、制御情報の送信に用いられるＰＤＣＣＨが配置される。この図においては、ＰＤＣＣＨは下りリンクサブフレームの１番目から３番目までのＯＦＤＭシンボルから構成され、ＰＤＳＣＨは下りリンクサブフレームの４番目から１４番目までのＯＦＤＭシンボルから構成される。なお、ＰＤＣＣＨを構成するＯＦＤＭシンボルの数と、ＰＤＳＣＨを構成するＯＦＤＭシンボルの数は、下りリンクサブフレーム毎に変更されてもよい。
【００３４】
この図において図示は省略するが、下りリンクの参照信号（Reference signal: RS）（下りリンク参照信号と呼称する。Cell specific RS、DL RSとも呼称する。）の送信に用いられる下りリンクパイロットチャネルが複数の下りリンクリソースエレメントに分散して配置される。ここで、下りリンク参照信号は、ＰＤＳＣＨおよびＰＤＣＣＨの伝搬路変動の推定に用いられる、通信システム１において既知の信号である。なお、下りリンク参照信号を構成する下りリンクリソースエレメントの数は、基地局装置３において移動局装置５への通信に用いられる送信アンテナの数に依存する。
【００３５】
ＰＤＣＣＨは、ＰＤＳＣＨに対する下りリンク物理リソースブロックの割り当てを示す情報、ＰＵＳＣＨに対する上りリンク物理リソースブロックの割り当てを示す情報、移動局識別子（Radio Network Temporary Identifier: RNTIと呼称する。）、変調方式を示す情報、符号化率を示す情報、再送パラメータを示す情報、マルチアンテナ関連情報、送信電力制御コマンド（TPC command）、Ａ−ＳＲＳの送信指示を示す情報、Ａ−ＳＲＳに用いられるパラメータがＰＤＣＣＨ（上りリンクグラント）で示される情報に基づくか否かを示す情報（第一の情報）、Ａ−ＳＲＳに用いられるパラメータを示す情報などの制御情報から生成された信号が配置される。ＰＤＣＣＨに含まれる制御情報を下りリンク制御情報（Downlink Control Information: DCI）と呼称する。ＰＤＳＣＨに対する下りリンク物理リソースブロックの割り当てを示す情報を含むＤＣＩは下りリンクアサインメント（Downlink assignment: DL assignment、またDownlink grantとも呼称する。）と呼称し、ＰＵＳＣＨに対する上りリンク物理リソースブロックの割り当てを示す情報を含むＤＣＩは上りリンクグラント（Uplink grant: UL grantと呼称する。）と呼称する。なお、下りリンクアサインメントは、ＰＵＣＣＨに対する送信電力制御コマンドを含む。なお、上りリンクアサインメントは、ＰＵＳＣＨに対する送信電力制御コマンドを含む。なお、上りリンクグラントに含まれる可能性のあるＡ−ＳＲＳに用いられるパラメータを示す情報は、Ａ−ＳＲＳのリソースの周波数帯域幅、周波数位置などのパラメータを示し、Ａ−ＳＲＳのリソースの時間的タイミングのパラメータ（上りリンクサブフレーム）を明確に示す情報ではない。
【００３６】
ＤＣＩは、複数種類の情報フォーマット（DCI format）が用いられる。異なるＤＣＩ  ｆｏｒｍａｔは、異なる情報の組み合わせから構成され、異なるビット数により構成される場合もある。例えば、シングルアンテナ送信のＰＵＳＣＨに対するリソースの割り当てを示す情報を含むＤＣＩ  ｆｏｒｍａｔと、マルチアンテナ送信のＰＵＳＣＨに対するリソースの割り当てを示す情報を含むＤＣＩ  ｆｏｒｍａｔは、異なる種類のＤＣＩ  ｆｏｒｍａｔが用いられる。シングルアンテナ送信のＰＵＳＣＨに対するリソースの割り当てを示す情報を含むＤＣＩ  ｆｏｒｍａｔは、ＤＣＩ  ｆｏｒｍａｔ  ０と呼称する。ＤＣＩ  ｆｏｒｍａｔ  ０は、上りリンク物理リソースブロックの割り当てを示す情報、変調方式を示す情報、符号化率を示す情報、再送パラメータを示す情報、送信電力制御コマンドなどから構成される。移動局装置５は、Ａ−ＳＲＳの送信指示を示す情報をＤＣＩ  ｆｏｒｍａｔに含めるか否かが基地局装置３から通知される。Ａ−ＳＲＳの送信指示を示す情報を含む、シングルアンテナ送信のＰＵＳＣＨに対するリソースの割り当てを示す情報を含むＤＣＩ  ｆｏｒｍａｔは、ＤＣＩ  ｆｏｒｍａｔ  ０Ａと呼称する。
【００３７】
図１１は、本発明の実施形態におけるＤＣＩ  ｆｏｒｍａｔ  ０Ａの情報フィールドの一例を示す図である。ＤＣＩ  ｆｏｒｍａｔ  ０Ａは、上りリンク物理リソースブロックの割り当てを示す情報、変調方式を示す情報、符号化率を示す情報、再送パラメータを示す情報、送信電力制御コマンド、Ａ−ＳＲＳの送信指示を示す情報、Ａ−ＳＲＳに用いられるパラメータがＰＤＣＣＨで示される情報に基づくか否かを示す情報、Ａ−ＳＲＳのパラメータを示す情報などから構成される。図１１において各情報フィールドが示す情報について説明する。Ａ−ＳＲＳ  ａｃｔｉｖａｔｉｏｎ／ｄｅａｃｔｉｖａｔｉｏｎの情報フィールドでは、Ａ−ＳＲＳの送信指示を示す情報が示される。Ａ−ＳＲＳ  ｄｙｎａｍｉｃ  ｐａｒａｍｅｔｅｒ  ｉｎｄｉｃａｔｏｒ  ｏｒ  Ｒｅｓｏｕｒｃｅ  ｂｌｏｃｋ  ａｓｓｉｎｇｍｅｎｔの情報フィールドでは、Ａ−ＳＲＳに用いられるパラメータがＰＤＣＣＨで示される情報に基づくか否かを示す情報（Ａ−ＳＲＳ  ｄｙｎａｍｉｃ  ｐａｒａｍｅｔｅｒ  ｉｎｄｉｃａｔｏｒ）（第一の情報）、または上りリンク物理リソースブロックの割り当てを示す情報（Ｒｅｓｏｕｒｃｅ  ｂｌｏｃｋ  ａｓｓｉｎｇｍｅｎｔ）が示される。Ａ−ＳＲＳ  ｆｒｅｑｕｅｎｃｙ  ｐｏｓｉｔｉｏｎ  ｏｒ  Ｍｏｄｕｌａｔｉｏｎ  ａｎｄ  ｃｏｄｉｎｇ  ｓｃｈｅｍｅ  ａｎｄ  ｒｅｄｕｎｄａｎｃｙ  ｖｅｒｓｉｏｎの情報フィールドでは、Ａ−ＳＲＳのパラメータ（周波数位置）を示す情報（Ａ−ＳＲＳ  ｆｒｅｑｕｅｎｃｙ  ｐｏｓｉｔｉｏｎ）、または変調方式を示す情報と符号化率を示す情報と再送パラメータ（冗長バージョン; Redundancy version）を示す情報（Ｍｏｄｕｌａｔｉｏｎ  ａｎｄ  ｃｏｄｉｎｇ  ｓｃｈｅｍｅ  ａｎｄ  ｒｅｄｕｎｄａｎｃｙ  ｖｅｒｓｉｏｎ）が示される。Ａ−ＳＲＳ  Ｂａｎｄｗｉｄｔｈ  ｏｒ  ＴＰＣ  ｃｏｍｍａｎｄ  ｆｏｒ  ＰＵＳＣＨの情報フィールドでは、Ａ−ＳＲＳのパラメータ（周波数帯域幅）を示す情報（Ａ−ＳＲＳ  Ｂａｎｄｗｉｄｔｈ）、または送信電力制御コマンド（ＴＰＣ  ｃｏｍｍａｎｄ  ｆｏｒ  ＰＵＳＣＨ）が示される。Ｏｔｈｅｒの情報フィールドでは、その他の情報（例えば、ＰＵＳＣＨに対する周波数ホッピングフラグ、上りリンクグラントと下りリンクアサインメントの識別情報、ＰＵＳＣＨに含まれるデータが新規送信か再送信かを示す情報、ＤＭ  ＲＳに用いられる符号に関する情報、移動局識別子）が示される。
【００３８】
Ａ−ＳＲＳの送信指示を示す情報は、Ａ−ＳＲＳの送信を指示するか否かを示す。Ａ−ＳＲＳに用いられるパラメータがＰＤＣＣＨで示される情報に基づくか否かを示す情報は、ＤＣＩ  ｆｏｒｍａｔ  ０でその他の情報を示す値（Codepoint）を用いてＤＣＩ  ｆｏｒｍａｔ  ０Ａで示される。例えば、上りリンク物理リソースブロックの割り当てを示す情報のＣｏｄｅｐｏｉｎｔ（例えば、上りリンク物理リソースブロックの割り当てを示す情報のビット系列が全て‘１’の値を示す）がＡ−ＳＲＳに用いられるパラメータがＰＤＣＣＨで示される情報に基づくことを示すために用いられる。Ａ−ＳＲＳのパラメータを示す情報は、その他の情報を示すために用いられる情報フィールドを流用してＤＣＩ  ｆｏｒｍａｔ  ０Ａで示される。ここで、情報フィールドが流用されるということは、情報フィールドが第一の場合は第一の制御情報として解釈され、第二の場合は第二の制御情報として解釈され、第一の場合と第二の場合は異なり、第一の制御情報と第二の制御情報は異なるということである。例えば、送信電力制御コマンドの情報フィールドがＡ−ＳＲＳの送信帯域幅を示すために用いられ、変調方式を示す情報と符号化率を示す情報がＡ−ＳＲＳの周波数位置を示すために用いられる。
【００３９】
Ａ−ＳＲＳの送信指示を示す情報がＡ−ＳＲＳの送信を指示することを示さない場合、ＤＣＩ  ｆｏｒｍａｔ  ０Ａのその他の情報フィールドは上りリンク物理リソースブロックの割り当て、変調方式、符号化率、再送パラメータ、送信電力制御コマンドなどを示し、Ａ−ＳＲＳに用いられるパラメータがＰＤＣＣＨで示される情報に基づくか否かを示さず、Ａ−ＳＲＳのパラメータを示さない。つまり、Ａ−ＳＲＳの送信指示を示す情報がＡ−ＳＲＳの送信を指示することを示さない場合、図１１で示すＡ−ＳＲＳ  ｄｙｎａｍｉｃ  ｐａｒａｍｅｔｅｒ  ｉｎｄｉｃａｔｏｒ  ｏｒ  Ｒｅｓｏｕｒｃｅ  ｂｌｏｃｋ  ａｓｓｉｎｇｍｅｎｔの情報フィールドは、上りリンク物理リソースブロックの割り当てを示す情報しか示さない。Ａ−ＳＲＳの送信指示を示す情報がＡ−ＳＲＳの送信を指示することを示す場合、ＤＣＩ  ｆｏｒｍａｔ  ０Ａの所定の情報フィールドは上りリンク物理リソースブロックの割り当て、またはＡ−ＳＲＳに用いられるパラメータがＰＤＣＣＨで示される情報に基づくことを示す。ここで、所定の情報フィールドが上りリンク物理リソースブロックの割り当てを示す場合、ＤＣＩ  ｆｏｒｍａｔ  ０Ａのその他の情報フィールドは変調方式、符号化率、再送パラメータ、送信電力制御コマンドなどを示し、Ａ−ＳＲＳのパラメータを示さない。なお、所定の情報フィールドが上りリンク物理リソースブロックの割り当てを示すことは、Ａ−ＳＲＳに用いられるパラメータがＰＤＣＣＨで示される情報に基づかないことを暗黙的に示す。ここで、所定の情報フィールドがＡ−ＳＲＳに用いられるパラメータがＰＤＣＣＨで示される情報に基づくことを示す場合、ＤＣＩ  ｆｏｒｍａｔ  ０Ａのその他の情報フィールドはＡ−ＳＲＳのパラメータを示し、変調方式、符号化率、再送パラメータ、送信電力制御コマンドなどを示さない。なお、所定の情報フィールドがＡ−ＳＲＳに用いられるパラメータがＰＤＣＣＨで示される情報に基づくことを示すことは、上りリンク物理リソースブロックの割り当てが行なわれないことを暗黙的に示す。
【００４０】
基地局装置３は、上記のようにＤＣＩ  ｆｏｒｍａｔ  ０Ａの各情報フィールドの値を設定することにより、大きく分類して３つのことを移動局装置５に示すためにＤＣＩ  ｆｏｒｍａｔ  ０Ａを用いる。１つ目は、ＰＵＳＣＨのリソースの割り当てのみを示し、Ａ−ＳＲＳの送信を指示しないことを示すために用いられる。２つ目は、ＰＵＳＣＨのリソースの割り当てを示さず、上りリンクグラントで示されるパラメータに基づくＡ−ＳＲＳの送信を指示することを示すために用いられる。３つ目は、ＰＵＳＣＨのリソースの割り当てを示し、更に、上りリンクグラントで示されるパラメータに基づかず、ＲＲＣ（Radio Resource Control）シグナリングで予め設定されたパラメータに基づくＡ−ＳＲＳの送信を指示することを示すために用いられる。
【００４１】
＜上りリンク無線フレームの構成＞
図１２は、本発明の実施形態に係る移動局装置５から基地局装置３への上りリンクの無線フレーム（上りリンク無線フレームと呼称する。）の概略構成を示す図である。この図において、横軸は時間領域、縦軸は周波数領域を表している。上りリンク無線フレームは、リソースの割り当てなどの単位であり、上りリンクの予め決められた幅の周波数帯および時間帯からなる物理リソースブロックのペア（上りリンク物理リソースブロックペアと呼称する。）から構成される。１個の上りリンク物理リソースブロックペアは、上りリンクの時間領域で連続する２個の上りリンクの物理リソースブロック（上りリンク物理リソースブロックと呼称する。）から構成される。
【００４２】
また、この図において、１個の上りリンク物理リソースブロックは、上りリンクの周波数領域において１２個のサブキャリア（上りリンクサブキャリアと呼称する。）から構成され、時間領域において７個のＳＣ−ＦＤＭＡ（Single-Carrier Frequency Division Multiple Access）シンボルから構成される。上りリンクのシステム帯域（上りリンクシステム帯域と呼称する。）は、基地局装置３の上りリンクの通信帯域である。上りリンクシステム帯域では、上りリンクのシステム帯域幅（上りリンクシステム帯域幅と呼称する。）に応じて複数の上りリンク物理リソースブロックが配置される。例えば、２０ＭＨｚの周波数帯域幅の上りリンクシステム帯域は、１００個の上りリンク物理リソースブロックから構成される。
【００４３】
また、この図が示す時間領域においては、７個のＳＣ−ＦＤＭＡシンボルから構成されるスロット（上りリンクスロットと呼称する。）、２個の上りリンクスロットから構成されるサブフレーム（上りリンクサブフレームと呼称する。）、１０個の上りリンクサブフレームから構成される上りリンク無線フレームがある。なお、１個の上りリンクサブキャリアと１個のＳＣ−ＦＤＭＡシンボルから構成されるユニットをリソースエレメント（上りリンクリソースエレメントと呼称する。）と呼称する。
【００４４】
各上りリンクサブフレームには、少なくとも情報データの送信に用いられるＰＵＳＣＨ、上りリンク制御情報（UCI: Uplink Control Information）の送信に用いられるＰＵＣＣＨが配置される。ＰＵＣＣＨは、ＰＤＳＣＨを用いて受信されたデータに対する肯定応答（ACK: Acknowledgement）または否定応答（NACK: Negative Acknowledgement）を示すＵＣＩ（ACK/NACK）、上りリンクのリソースの割り当てを要求するか否かを少なくとも示すＵＣＩ（SR: Scheduling Request; スケジューリング要求）、下りリンクの受信品質（チャネル品質とも呼称する。）を示すＵＣＩ（CQI: Channel Quality Indicator; チャネル品質指標）を送信するために用いられる。
【００４５】
また、ＰＵＣＣＨは、ＡＣＫ／ＮＡＣＫからなるＵＣＩが送信される場合と、ＳＲからなるＵＣＩが送信される場合と、ＣＱＩからなるＵＣＩが送信される場合とで異なる種類の信号構成が用いられる。ＡＣＫ／ＮＡＣＫの送信に用いられるＰＵＣＣＨをＰＵＣＣＨ  ｆｏｒｍａｔ  １ａ、またはＰＵＣＣＨ  ｆｏｒｍａｔ  １ｂと呼称する。ＰＵＣＣＨ  ｆｏｒｍａｔ  １ａでは、ＡＣＫ／ＮＡＣＫに関する情報を変調する変調方式としてＢＰＳＫ（二位相偏移変調; Binary Phase Shift Keying）が用いられる。ＰＵＣＣＨ  ｆｏｒｍａｔ  １ａでは、1ビットの情報が変調信号から明示的に示される。ＰＵＣＣＨ  ｆｏｒｍａｔ  １ｂでは、ＡＣＫ／ＮＡＣＫに関する情報を変調する変調方式としてＱＰＳＫ（四位相偏移変調; Quadrature Phase Shift Keying）が用いられる。ＰＵＣＣＨ  ｆｏｒｍａｔ  １ｂでは、２ビットの情報が変調信号から明示的に示される。ＳＲの送信に用いられるＰＵＣＣＨをＰＵＣＣＨ  ｆｏｒｍａｔ  １と呼称する。ＣＱＩの送信に用いられるＰＵＣＣＨをＰＵＣＣＨ  ｆｏｒｍａｔ  ２と呼称する。ＣＱＩとＡＣＫ／ＮＡＣＫの同時送信に用いられるＰＵＣＣＨをＰＵＣＣＨ  ｆｏｒｍａｔ  ２ａ、またはＰＵＣＣＨ  ｆｏｒｍａｔ  ２ｂと呼称する。ＰＵＣＣＨ  ｆｏｒｍａｔ  ２ｂでは、上りリンクパイロットチャネルのＤＭ  ＲＳにＡＣＫ／ＮＡＣＫの情報から生成された変調信号が乗算される。ＰＵＣＣＨ  ｆｏｒｍａｔ  ２ａでは、ＡＣＫ／ＮＡＣＫに関する１ビットの情報とＣＱＩの情報が送信される。ＰＵＣＣＨ  ｆｏｒｍａｔ  ２ｂでは、ＡＣＫ／ＮＡＣＫに関する２ビットの情報とＣＱＩの情報が送信される。
【００４６】
なお、１個のＰＵＳＣＨは１個以上の上りリンク物理リソースブロックペアから構成され、１個のＰＵＣＣＨは周波数領域に対称関係にあり、異なる上りリンクスロットに位置する２個の上りリンク物理リソースブロックから構成される。例えば、図１２において、上りリンクサブフレーム内の１番目の上りリンクスロットの最も周波数が低い上りリンク物理リソースブロックと、上りリンクサブフレーム内の２番目の上りリンクスロットの最も周波数が高い上りリンク物理リソースブロックとにより、ＰＵＣＣＨに用いられる上りリンク物理リソースブロックペアの１個が構成される。なお、上りリンクシステム帯域の端から２番目、３番目などの上りリンク物理リソースブロックがＰＵＣＣＨに用いられてもよい。
【００４７】
上りリンクパイロットチャネルのＤＭ  ＲＳは、ＰＵＳＣＨと同じ上りリンク物理リソースブロック内に配置される場合と、ＰＵＣＣＨと同じ上りリンク物理リソースブロック内に配置される場合とで異なるＳＣ−ＦＤＭＡシンボルに配置される。ＤＭ  ＲＳは、ＰＵＳＣＨと同じ上りリンク物理リソースブロック内に配置される場合、上りリンクスロット内の４番目のＳＣ−ＦＤＭＡシンボルに配置される。ＤＭ  ＲＳは、ＡＣＫ／ＮＡＣＫを含むＰＵＣＣＨと同じ上りリンク物理リソースブロック内に配置される場合、上りリンクスロット内の３番目と４番目と５番目のＳＣ−ＦＤＭＡシンボルに配置される。ＤＭ  ＲＳは、ＳＲを含むＰＵＣＣＨと同じ上りリンク物理リソースブロック内に配置される場合、上りリンクスロット内の３番目と４番目と５番目のＳＣ−ＦＤＭＡシンボルに配置される。ＤＭ  ＲＳは、ＣＱＩを含むＰＵＣＣＨと同じ上りリンク物理リソースブロック内に配置される場合、上りリンクスロット内の２番目と６番目のＳＣ−ＦＤＭＡシンボルに配置される。
【００４８】
上りリンクパイロットチャネルのＳＲＳは、基地局装置３が決定した周波数帯域に配置され、上りリンクサブフレーム内の１４番目のＳＣ−ＦＤＭＡシンボル（上りリンクサブフレームの２番目の上りリンクスロットの７番目のＳＣ−ＦＤＭＡシンボル）に配置される。ＳＲＳが設定される周波数帯域は周波数帯域幅と周波数位置から示され、基地局装置３は移動局装置５に対してＳＲＳの周波数帯域幅、周波数位置を示す情報をＲＲＣシグナリングで通知する。ＳＲＳは、セル内において基地局装置３が決定した周期の上りリンクサブフレーム（セル固有のサブフレーム; Cell specific SRS subframe）に配置される。何れの上りリンクサブフレームがＣｅｌｌ  ｓｐｅｃｉｆｉｃ  ＳＲＳ  ｓｕｂｆｒａｍｅに設定されるかを示す情報は、システム情報を用いて基地局装置３から移動局装置５に通知される。何れの上りリンクサブフレームがＣｅｌｌ  ｓｐｅｃｉｆｉｃ  ＳＲＳ  ｓｕｂｆｒａｍｅに設定されるかを示す情報は、上りリンクサブフレームの周期、開始位置などに関する情報により構成される。
【００４９】
Ｐ−ＳＲＳは、移動局装置５に対してＣｅｌｌ  ｓｐｅｃｉｆｉｃ  ＳＲＳ  ｓｕｂｆｒａｍｅの何れかの上りリンクサブフレームに配置される。基地局装置３は、Ｐ−ＳＲＳのリソースとして周期的なリソース、または１個のリソースをＲＲＣシグナリングを用いて移動局装置５に通知する。例えば、Ｐ−ＳＲＳのリソースとして周期的なリソースを割り当てられた移動局装置５は、周期的なＣｅｌｌ  ｓｐｅｃｉｆｉｃ  ＳＲＳ  ｓｕｂｆｒａｍｅでＰ−ＳＲＳを送信する。
【００５０】
Ａ−ＳＲＳは、移動局装置５に対してＣｅｌｌ  ｓｐｅｃｉｆｉｃ  ＳＲＳ  ｓｕｂｆｒａｍｅの何れかの上りリンクサブフレームに配置される。移動局装置５は、Ａ−ＳＲＳの送信指示を含む上りリンクグラントを検出した場合、Ｃｅｌｌ  ｓｐｅｃｉｆｉｃ  ＳＲＳ  ｓｕｂｆｒａｍｅの何れかの上りリンクサブフレームでＡ−ＳＲＳを送信する。また、移動局装置５は、Ａ−ＳＲＳの送信指示を含む上りリンクグラントを検出した場合、上りリンクグラントに含まれる第一の情報に基づいてＡ−ＳＲＳの送信を行うＣｅｌｌ  ｓｐｅｃｉｆｉｃ  ＳＲＳ  ｓｕｂｆｒａｍｅを設定する。移動局装置５は、第一の情報がＡ−ＳＲＳに用いられるパラメータが上りリンクグラントで示される情報に基づくことを示した場合、Ａ−ＳＲＳを送信する上りリンクサブフレームとしてＣｅｌｌ  ｓｐｅｃｉｆｉｃ  ＳＲＳ  ｓｕｂｆｒａｍｅを設定する。具体的には、移動局装置５は、第一の情報がＡ−ＳＲＳに用いられるパラメータが上りリンクグラントで示される情報に基づくことを示した場合、上りリンクグラントを検出したサブフレームから４個のサブフレーム以降の最初のＣｅｌｌ  ｓｐｅｃｉｆｉｃ  ＳＲＳ  ｓｕｂｆｒａｍｅをＡ−ＳＲＳを送信する上りリンクサブフレームに設定する。移動局装置５は、第一の情報がＡ−ＳＲＳに用いられるパラメータが上りリンクグラントで示される情報に基づくことを示さなかった場合、Ａ−ＳＲＳを送信する上りリンクサブフレームとして、Ｃｅｌｌ  ｓｐｅｃｉｆｉｃ  ＳＲＳ  ｓｕｂｆｒａｍｅの中で予め自装置に構成された上りリンクサブフレーム（UE specific SRS subframe）を設定する。具体的には、移動局装置５は、第一の情報がＡ−ＳＲＳに用いられるパラメータが上りリンクグラントで示される情報に基づくことを示さなかった場合、上りリンクグラントを検出したサブフレームから４個のサブフレーム以降の最初のＵＥ  ｓｐｅｃｉｆｉｃ  ＳＲＳ  ｓｕｂｆｒａｍｅをＡ−ＳＲＳを送信する上りリンクサブフレームに設定する。より詳細には、移動局装置５は、第一の情報がＡ−ＳＲＳに用いられるパラメータが上りリンクグラントで示される情報に基づくことを示した場合、ＵＥ  ｓｐｅｃｉｆｉｃ  ＳＲＳ  ｓｕｂｆｒａｍｅかどうかに係らず、Ｃｅｌｌ  ｓｐｅｃｉｆｉｃ  ＳＲＳ  ｓｕｂｆｒａｍｅをＡ−ＳＲＳを送信する上りリンクサブフレームとして設定し、ＵＥ  ｓｐｅｃｉｆｉｃ  ＳＲＳ  ｓｕｂｆｒａｍｅではないＣｅｌｌ  ｓｐｅｃｉｆｉｃ  ＳＲＳ  ｓｕｂｆｒａｍｅでＡ−ＳＲＳを送信する場合がある。
【００５１】
Ａ−ＳＲＳ用のＵＥ  ｓｐｅｃｉｆｉｃ  ＳＲＳ  ｓｕｂｆｒａｍｅは、予め移動局装置５に構成される。何れのＣｅｌｌ  ｓｐｅｃｉｆｉｃ  ＳＲＳ  ｓｕｂｆｒａｍｅがＵＥ  ｓｐｅｃｉｆｉｃ  ＳＲＳ  ｓｕｂｆｒａｍｅに設定されるかを示す情報は、ＲＲＣシグナリングを用いて基地局装置３から移動局装置５に通知される。何れのＣｅｌｌ  ｓｐｅｃｉｆｉｃ  ＳＲＳ  ｓｕｂｆｒａｍｅがＵＥ  ｓｐｅｃｉｆｉｃ  ＳＲＳ  ｓｕｂｆｒａｍｅに設定されるかを示す情報は、Ｃｅｌｌ  ｓｐｅｃｉｆｉｃ  ＳＲＳ  ｓｕｂｆｒａｍｅ内での上りリンクサブフレームの周期、開始位置などに関する情報により構成される。また、移動局装置５は、第一の情報がＡ−ＳＲＳに用いられるパラメータが上りリンクグラントで示される情報に基づくことを示さなかった場合、ＵＥ  ｓｐｅｃｉｆｉｃ  ＳＲＳ  ｓｕｂｆｒａｍｅで予め基地局装置３から構成された周波数帯域幅、周波数位置などのパラメータを用いてＡ−ＳＲＳを送信する。第一の情報がＡ−ＳＲＳに用いられるパラメータが上りリンクグラントで示される情報に基づくことを示さなかった場合に移動局装置５に用いられるＡ−ＳＲＳの周波数帯域幅、周波数位置などのパラメータは、ＲＲＣシグナリングを用いて基地局装置３から移動局装置５に予め通知される。言い換えると、Ａ−ＳＲＳに用いられる可能性のある候補リソースのパラメータがＲＲＣシグナリングを用いて基地局装置３から移動局装置５に予め通知される。なお、Ａ−ＳＲＳに用いられる可能性のある候補リソースのパラメータに関して同じ、または重複するパラメータが複数の移動局装置５に構成されてもよく、基地局装置３はそれらの移動局装置５の何れかの移動局装置５に対してのみ上りリンクグラントを用いてＡ−ＳＲＳの送信指示を示し、Ａ−ＳＲＳの衝突を防ぐことができる。言い換えると、基地局装置３は、Ａ−ＳＲＳの候補リソースについて共通するリソースを複数の移動局装置５に対して設定してもよいが、Ａ−ＳＲＳの実際に送信されるリソースについては単一の移動局装置５に対してのみ設定する。以上のことから、ＵＥ  ｓｐｅｃｉｆｉｃ  ＳＲＳ  ｓｕｂｆｒａｍｅは、一部の移動局装置５に対して共通に割り当てられる可能性があるＣｅｌｌ  ｓｐｅｃｉｆｉｃ  ＳＲＳ  ｓｕｂｆｒａｍｅであり、更にＡ−ＳＲＳの候補リソースが移動局装置５に対して設定された上りリンクサブフレームであり、ある移動局装置５に対してのみ構成される上りリンクサブフレームではない。
【００５２】
また、ＳＲＳに対して符号多重が用いられる。同じ周波数位置のＳＲＳを送信する複数の移動局装置５は、異なる符号リソースを用いてＳＲＳを送信する。説明の簡略化のため、ＳＲＳの符号リソースのパラメータの通知などに関する処理の説明は省略する。
【００５３】
なお、ＰＵＣＣＨにおいて周波数領域での符号多重、時間領域での符号多重が用いられる。周波数領域での符号多重は、サブキャリア単位で符号系列の各符号が上りリンク制御情報から変調された変調信号に乗算されることにより処理される。時間領域での符号多重は、ＳＣ−ＦＤＭＡシンボル単位で符号系列の各符号がＵＣＩから変調された変調信号に乗算されることにより処理される。複数のＰＵＣＣＨが同一の上りリンク物理リソースブロックに配置され、各ＰＵＣＣＨは異なる符号系列が割り当てられ、割り当てられた符号系列により周波数領域、または時間領域において符号多重が実現される。ＡＣＫ／ＮＡＣＫを送信するために用いられるＰＵＣＣＨ（ＰＵＣＣＨ  ｆｏｒｍａｔ  １ａ、ＰＵＣＣＨ  ｆｏｒｍａｔ  １ｂ）においては、周波数領域及び時間領域での符号多重が用いられる。ＳＲを送信するために用いられるＰＵＣＣＨ（ＰＵＣＣＨ  ｆｏｒｍａｔ  １）においては、周波数領域及び時間領域での符号多重が用いられる。ＣＱＩを送信するために用いられるＰＵＣＣＨ（ＰＵＣＣＨ  ｆｏｒｍａｔ  ２）においては、周波数領域での符号多重が用いられる。なお、説明の簡略化のため、ＰＵＣＣＨの符号多重に係る内容の説明は適宜省略する。
【００５４】
ＰＤＳＣＨのリソースは、時間領域において、そのＰＤＳＣＨのリソースの割り当てに用いられる下りリンクアサインメントを含むＰＤＣＣＨのリソースが配置される下りリンクサブフレームと同一の下りリンクサブフレームに配置される。ＰＵＳＣＨのリソースは、時間領域において、そのＰＵＳＣＨのリソースの割り当てに用いられる下りリンクアサインメントを含むＰＤＣＣＨのリソースが配置される下りリンクサブフレームと対応する上りリンクサブフレームから４個の上りリンクサブフレーム後の上りリンクサブフレームに配置される。
【００５５】
＜ＳＲＳの周波数帯域幅と周波数位置の構成＞
図１３は、本発明の実施形態に係るＳＲＳの周波数帯域幅と周波数位置の構成例を示す図である。各セルで用いられるＳＲＳに対して複数の周波数帯域幅、周波数位置が構成され、何れかの周波数帯域幅、周波数位置が移動局装置５に対して設定される。図１３では、４種類の周波数帯域幅（周波数帯域幅Ａ、周波数帯域幅Ｂ、周波数帯域幅Ｃ、周波数帯域幅Ｄ）が構成される場合について示す。周波数帯域幅Ａは、セルで用いられるＳＲＳの最大周波数帯域幅と等しい。周波数帯域幅Ｂは、セルで用いられるＳＲＳの最大周波数帯域幅を２分割した周波数帯域幅と等しい。周波数帯域幅Ｃは、セルで用いられるＳＲＳの最大周波数帯域幅を４分割した周波数帯域幅と等しい。周波数帯域幅Ｄは、セルで用いられるＳＲＳの最大周波数帯域幅を８分割した周波数帯域幅と等しい。周波数帯域幅ＡのＳＲＳの周波数位置は１種類（周波数位置Ａ−１）である。周波数帯域幅ＢのＳＲＳの周波数位置は２種類（周波数位置Ｂ−１、周波数位置Ｂ−２）である。周波数帯域幅ＣのＳＲＳの周波数位置は４種類（周波数位置Ｃ−１、周波数位置Ｃ−２、周波数位置Ｃ−３、周波数位置Ｃ−４）である。周波数帯域幅ＤのＳＲＳの周波数位置は８種類（周波数位置Ｄ−１、周波数位置Ｄ−２、周波数位置Ｄ−３、周波数位置Ｄ−４、周波数位置Ｄ−５、周波数位置Ｄ−６、周波数位置Ｄ−７、周波数位置Ｄ−８）である。図１３に示すように、ＳＲＳの各周波数帯域幅と各周波数位置の関係はツリー構造（Tree based structure）の関係にある。なお、周波数ホッピングが適用される場合、上りリンクサブフレーム毎に異なる周波数位置のＳＲＳが移動局装置５に設定される。なお、移動局装置５においてＰ−ＳＲＳとＡ−ＳＲＳは同一の構成のＳＲＳが用いられるが、Ｐ−ＳＲＳとＡ−ＳＲＳで異なる周波数帯域幅、周波数位置のパラメータが設定されてもよい。
【００５６】
＜Ｃｅｌｌ  ｓｐｅｃｉｆｉｃ  ＳＲＳ  ｓｕｂｆｒａｍｅとＵＥ  ｓｐｅｃｉｆｉｃ  ＳＲＳ  ｓｕｂｆｒａｍｅの構成＞
図１４は、本発明の実施形態に係るＣｅｌｌ  ｓｐｅｃｉｆｉｃ  ＳＲＳ  ｓｕｂｆｒａｍｅとＵＥ  ｓｐｅｃｉｆｉｃ  ＳＲＳ  ｓｕｂｆｒａｍｅの構成例を示す図である。図１４では、Ｃｅｌｌ  ｓｐｅｃｉｆｉｃ  ＳＲＳ  ｓｕｂｆｒａｍｅは２個の上りリンクサブフレーム毎に構成され、１番目の上りリンクサブフレームから構成される場合を示している（上りリンクサブフレーム＃１、上りリンクサブフレーム＃３、上りリンクサブフレーム＃５、上りリンクサブフレーム＃７、上りリンクサブフレーム＃９、上りリンクサブフレーム＃１１）。図１４では、ＵＥ  ｓｐｅｃｉｆｉｃ  ＳＲＳ  ｓｕｂｆｒａｍｅは２個のＣｅｌｌ  ｓｐｅｃｉｆｉｃ  ＳＲＳ  ｓｕｂｆｒａｍｅ毎に構成され、１番目の上りリンクサブフレームから構成される場合を示している（上りリンクサブフレーム＃１、上りリンクサブフレーム＃５、上りリンクサブフレーム＃９）。なお、図１４で示した構成例は一例であり、異なる構成のＣｅｌｌ  ｓｐｅｃｉｆｉｃ  ＳＲＳ  ｓｕｂｆｒａｍｅ、ＵＥ  ｓｐｅｃｉｆｉｃ  ＳＲＳ  ｓｕｂｆｒａｍｅが構成されても、本発明を適用することができる。
【００５７】
＜ＵＥ  ｓｐｅｃｉｆｉｃ  ＳＲＳ  ｓｕｂｆｒａｍｅに構成されるＡ−ＳＲＳの候補リソース＞
図１５は、本発明の実施形態に係る移動局装置５のＵＥ  ｓｐｅｃｉｆｉｃ  ＳＲＳ  ｓｕｂｆｒａｍｅに予め構成されるＡ−ＳＲＳの候補リソースの構成例を示す図である。ＵＥ  ｓｐｅｃｉｆｉｃ  ＳＲＳ  ｓｕｂｆｒａｍｅの構成は、図１４に示す構成例を用いて説明する。図１５では、Ａ−ＳＲＳの候補リソースとしてシステム帯域全体に亘る周波数帯域幅、周波数位置のパラメータが移動局装置５に対して設定されることを示す。なお、図１５では、Ａ−ＳＲＳのリソースの候補として設定される周波数帯域幅はシステム帯域幅と等しい場合について示したが、システム帯域幅と等しくなくてもよい。図１５では、Ａ−ＳＲＳのリソースの候補として設定されることができる周波数帯域幅の最大値が移動局装置５に設定される場合を示しており、あるセルでＡ−ＳＲＳのリソースの候補として設定されることができる周波数帯域幅の最大値がシステム帯域幅より小さくてもよい。
【００５８】
図１６は、本発明の実施形態に係る移動局装置５のＵＥ  ｓｐｅｃｉｆｉｃ  ＳＲＳ  ｓｕｂｆｒａｍｅに予め構成されるＡ−ＳＲＳの候補リソースの構成例を示す図である。ＵＥ  ｓｐｅｃｉｆｉｃ  ＳＲＳ  ｓｕｂｆｒａｍｅの構成は、図１４に示す構成例を用いて説明する。図１６では、Ａ−ＳＲＳの候補リソースとしてシステム帯域の一部の周波数帯域幅、周波数位置のパラメータが移動局装置５に対して設定されることを示す。言い換えると、あるセルでＡ−ＳＲＳのリソースの候補として設定されることができる周波数帯域幅の一部の周波数帯域幅、周波数位置のパラメータが移動局装置５に対して設定されることを示す。なお、図１６では、Ａ−ＳＲＳのリソースの候補として設定される周波数位置がシステム帯域の端に設定される場合について示しているが、異なる周波数位置に設定されてもよい。
【００５９】
図１７は、本発明の実施形態に係る移動局装置５のＵＥ  ｓｐｅｃｉｆｉｃ  ＳＲＳ  ｓｕｂｆｒａｍｅに予め構成されるＡ−ＳＲＳの候補リソースの構成例を示す図である。ＵＥ  ｓｐｅｃｉｆｉｃ  ＳＲＳ  ｓｕｂｆｒａｍｅの構成は、図１４に示す構成例を用いて説明する。図１７では、Ａ−ＳＲＳの候補リソースとしてシステム帯域の一部の周波数帯域幅のパラメータが移動局装置５に対して設定されることを示す。また、図１７では、Ａ−ＳＲＳのリソースの候補として設定される周波数位置に関して周波数ホッピングが適用される場合について示す。つまり、ＵＥ  ｓｐｅｃｉｆｉｃ  ＳＲＳ  ｓｕｂｆｒａｍｅ内の各上りリンクサブフレームに対して異なる周波数位置のＡ−ＳＲＳの候補リソースが設定される。なお、周波数ホッピングを適用してＡ−ＳＲＳの候補リソースが設定される場合、予め決められた周波数ホッピングパターンに基づいて周波数位置が決められる。
【００６０】
＜基地局装置３の全体構成＞
以下、図１、図２、図３を用いて、本実施形態に係る基地局装置３の構成について説明する。図１は、本発明の実施形態に係る基地局装置３の構成を示す概略ブロック図である。この図に示すように、基地局装置３は、受信処理部（受信部）１０１、無線リソース制御部１０３、制御部１０５、および、送信処理部（送信部）１０７を含んで構成される。
【００６１】
受信処理部１０１は、制御部１０５の指示に従い、受信アンテナ１０９により移動局装置５から受信した、ＰＵＣＣＨ、ＰＵＳＣＨの受信信号をＤＭ  ＲＳを用いて復調し、復号して、制御情報、情報データを抽出する。また、受信処理部１０１は、移動局装置５から受信したＳＲＳを用いて上りリンクの伝搬路を推定し、チャネル品質を測定する。受信処理部１０１は、自装置が移動局装置５にＰＵＣＣＨやＳＲＳのリソースを割り当てた上りリンクサブフレーム、周波数リソースに対してＵＣＩを抽出する処理やチャネル品質を測定する処理を行う。受信処理部１０１は、何れの上りリンクサブフレーム、何れの周波数リソースに対してどのような処理を行うかを制御部１０５から指示される。受信処理部１０１は、抽出したＵＣＩ、推定した伝搬路推定値、測定したチャネル品質を制御部１０５に出力し、情報データを上位層に出力する。受信処理部１０１の詳細については、後述する。
【００６２】
無線リソース制御部１０３は、移動局装置５各々のＳＲＳのリソースの割り当て（Ｃｅｌｌ  ｓｐｅｃｉｆｉｃ  ＳＲＳ  ｓｕｂｆｒａｍｅの周期、開始位置、ＵＥ  ｓｐｅｃｉｆｉｃ  ＳＲＳ  ｓｕｂｆｒａｍｅの周期、開始位置、Ａ−ＳＲＳの候補リソースのパラメータ、Ｐ−ＳＲＳのリソースのパラメータ）、ＰＤＣＣＨに対するリソースの割り当て、ＰＵＣＣＨに対するリソースの割り当て、ＰＤＳＣＨに対する下りリンク物理リソースブロックの割り当て、ＰＵＳＣＨに対する上りリンク物理リソースブロックの割り当て、各種チャネルの変調方式・符号化率・送信電力制御値などを設定する。なお、無線リソース制御部１０３は、ＰＵＣＣＨに対する周波数領域の符号系列、時間領域の符号系列なども設定する。また、無線リソース制御部１０３は、設定したＳＲＳのリソースの割り当てを示す情報などを制御部１０５に出力する。無線リソース制御部１０３で設定された情報の一部は送信処理部１０７を介して移動局装置５に通知され、例えばＳＲＳのリソースの割り当てを示す情報が移動局装置５に通知される。
【００６３】
無線リソース制御部１０３は、制御部１０５を通して入力された上りリンクのチャネル品質に基づき、ＰＵＳＣＨのリソースの割り当て、送信電力の値などの設定を行う。例えば、無線リソース制御部１０３は、移動局装置５に対してチャネル品質の良い上りリンク物理リソースブロックにＰＵＳＣＨのリソースを割り当てたり、受信信号が所定の誤り率を実現できるようにチャネル品質に基づき送信電力の値を設定したりする。また、無線リソース制御部１０３は、受信処理部１０１においてＰＵＣＣＨを用いて取得され、制御部１０５を介して入力されたＵＣＩに基づいてＰＤＳＣＨの無線リソースの割り当てなどを設定する。例えば、無線リソース制御部１０３は、ＰＵＣＣＨを用いて取得されたＡＣＫ／ＮＡＣＫが入力された場合、ＡＣＫ／ＮＡＣＫでＮＡＣＫが示されたＰＤＳＣＨのリソースの割り当てを移動局装置５に対して行う。
【００６４】
無線リソース制御部１０３は、各種制御信号を制御部１０５に出力する。例えば、制御信号は、ＳＲＳのリソースの割り当て（Ｃｅｌｌ  ｓｐｅｃｉｆｉｃ  ＳＲＳ  ｓｕｂｆｒａｍｅの周期、開始位置、ＵＥ  ｓｐｅｃｉｆｉｃ  ＳＲＳ  ｓｕｂｆｒａｍｅの周期、開始位置、Ａ−ＳＲＳの候補リソースのパラメータ、Ｐ−ＳＲＳのリソースのパラメータ、Ａ−ＳＲＳのリソースのパラメータ）を示す制御信号や、ＰＵＣＣＨのリソースの割り当てを示す制御信号である。
【００６５】
制御部１０５は、無線リソース制御部１０３から入力された制御信号に基づき、ＰＤＳＣＨに対する下りリンク物理リソースブロックの割り当て、ＰＤＣＣＨに対するリソースの割り当て、ＰＤＳＣＨに対する変調方式の設定、ＰＤＳＣＨおよびＰＤＣＣＨに対する符号化率の設定などの制御を送信処理部１０７に対して行う。また、制御部１０５は、無線リソース制御部１０３から入力された制御信号に基づき、ＰＤＣＣＨを用いて送信されるＤＣＩを生成し、送信処理部１０７に出力する。ＰＤＣＣＨを用いて送信されるＤＣＩは、下りリンクアサインメント、上りリンクグラントなどである。また、制御部１０５は、ＳＲＳのリソースの割り当て（Ｃｅｌｌ  ｓｐｅｃｉｆｉｃ  ＳＲＳ  ｓｕｂｆｒａｍｅの周期、開始位置、ＵＥ  ｓｐｅｃｉｆｉｃ  ＳＲＳ  ｓｕｂｆｒａｍｅの周期、開始位置、Ａ−ＳＲＳの候補リソースのパラメータ、Ｐ−ＳＲＳのリソースのパラメータ）を示す情報、Ａ−ＳＲＳを用いた処理を行うか否かを示す情報などを送信処理部１０７を介して移動局装置５にＰＤＳＣＨを用いて送信するように制御を行う。Ａ−ＳＲＳを用いた処理を行うか否かを示す情報は、Ａ−ＳＲＳの送信指示を示す情報をＤＣＩ  ｆｏｒｍａｔに含めるか否かを示す情報と共通である。また、制御部１０５は、Ａ−ＳＲＳの送信指示を示す情報、Ａ−ＳＲＳに用いられるパラメータがＰＤＣＣＨで示される情報に基づくか否かを示す情報、Ａ−ＳＲＳのパラメータを示す情報を送信処理部１０７を介して移動局装置５にＰＤＣＣＨ（ＤＣＩ  ｆｏｒｍａｔ  ０Ａ）を用いて送信するように制御を行う。
【００６６】
制御部１０５は、無線リソース制御部１０３から入力された制御信号に基づき、ＰＵＳＣＨに対する上りリンク物理リソースブロックの割り当て、ＰＵＣＣＨに対するリソースの割り当て、ＰＵＳＣＨおよびＰＵＣＣＨの変調方式の設定、ＰＵＳＣＨの符号化率の設定、ＰＵＣＣＨに対する符号系列の設定などの制御を受信処理部１０１に対して行う。また、制御部１０５は、無線リソース制御部１０３から入力された制御信号に基づき、ＳＲＳを用いたチャネル品質の測定の制御を受信処理部１０１に対して行う。また、制御部１０５は、移動局装置５によってＰＵＣＣＨを用いて送信されたＵＣＩが受信処理部１０１より入力され、入力されたＵＣＩを無線リソース制御部１０３に出力する。
【００６７】
送信処理部１０７は、制御部１０５から入力された制御信号に基づき、ＰＤＣＣＨ、ＰＤＳＣＨを用いて送信する信号を生成して、送信アンテナ１１１を介して送信する。送信処理部１０７は、無線リソース制御部１０３から入力された、ＳＲＳのリソースの割り当て（Ｃｅｌｌ  ｓｐｅｃｉｆｉｃ  ＳＲＳ  ｓｕｂｆｒａｍｅの周期、開始位置、ＵＥ  ｓｐｅｃｉｆｉｃ  ＳＲＳ  ｓｕｂｆｒａｍｅの周期、開始位置、Ａ−ＳＲＳの候補リソースのパラメータ、Ｐ−ＳＲＳのリソースのパラメータ）を示す情報、Ａ−ＳＲＳを用いた処理を行うか否かを示す情報、上位層から入力された情報データ等をＰＤＳＣＨを用いて移動局装置５に対して送信し、制御部１０５から入力されたＤＣＩ（Ａ−ＳＲＳの送信指示を示す情報、Ａ−ＳＲＳに用いられるパラメータがＰＤＣＣＨで示される情報に基づくか否かを示す情報、Ａ−ＳＲＳのパラメータを示す情報）をＰＤＣＣＨを用いて移動局装置５に対して送信する。なお、説明の簡略化のため、以降、情報データは数種の制御に関する情報を含むものとする。送信処理部１０７の詳細については、後述する。
【００６８】
＜基地局装置３の送信処理部１０７の構成＞
以下、基地局装置３の送信処理部１０７の詳細について説明する。図２は、本発明の実施形態に係る基地局装置３の送信処理部１０７の構成を示す概略ブロック図である。この図に示すように、送信処理部１０７は、複数の物理下りリンク共用チャネル処理部２０１−１〜２０１−Ｍ（以下、物理下りリンク共用チャネル処理部２０１−１〜２０１−Ｍを合わせて物理下りリンク共用チャネル処理部２０１と表す）、複数の物理下りリンク制御チャネル処理部２０３−１〜２０３−Ｍ（以下、物理下りリンク制御チャネル処理部２０３−１〜２０３−Ｍを合わせて物理下りリンク制御チャネル処理部２０３と表す）、下りリンクパイロットチャネル処理部２０５、多重部２０７、ＩＦＦＴ（Inverse Fast Fourier Transform; 高速逆フーリエ変換）部２０９、ＧＩ（Guard Interval; ガードインターバル）挿入部２１１、Ｄ／Ａ（Digital/Analog converter; ディジタルアナログ変換）部２１３、送信ＲＦ（Radio Frequency; 無線周波数）部２１５、および、送信アンテナ１１１を含んで構成される。なお、各物理下りリンク共用チャネル処理部２０１、各物理下りリンク制御チャネル処理部２０３は、それぞれ、同様の構成および機能を有するので、その一つを代表して説明する。なお、送信処理部１０７の説明では、送信アンテナの数が１本の場合について説明し、複数の送信アンテナが構成され、ＰＤＳＣＨに対して空間多重を行う処理部が構成される場合についての説明は、説明の便宜上、省略する。
【００６９】
また、この図に示すように、物理下りリンク共用チャネル処理部２０１は、それぞれ、ターボ符号部２１９およびデータ変調部２２１を備える。また、この図に示すように、物理下りリンク制御チャネル処理部２０３は、畳み込み符号部２２３およびＱＰＳＫ変調部２２５を備える。物理下りリンク共用チャネル処理部２０１は、移動局装置５への情報データをＯＦＤＭ方式で伝送するためのベースバンド信号処理を行う。ターボ符号部２１９は、入力された情報データを、制御部１０５から入力された符号化率で、データの誤り耐性を高めるためのターボ符号化を行ない、データ変調部２２１に出力する。データ変調部２２１は、ターボ符号部２１９が符号化したデータを、制御部１０５から入力された変調方式、例えば、ＱＰＳＫ（四位相偏移変調; Quadrature Phase Shift Keying）、１６ＱＡＭ（16値直交振幅変調; 16 Quadrature Amplitude Modulation）、６４ＱＡＭ（64値直交振幅変調; 64 Quadrature Amplitude Modulation）のような変調方式で変調し、変調シンボルの信号系列を生成する。データ変調部２２１は、生成した信号系列を、多重部２０７に出力する。
【００７０】
物理下りリンク制御チャネル処理部２０３は、制御部１０５から入力されたＤＣＩを、ＯＦＤＭ方式で伝送するためのベースバンド信号処理を行う。畳み込み符号部２２３は、制御部１０５から入力された符号化率に基づき、ＤＣＩの誤り耐性を高めるための畳み込み符号化を行う。ここで、ＤＣＩはビット単位で制御される。また、畳み込み符号部２２３は、制御部１０５から入力された符号化率に基づき、畳み込み符号化の処理を行なったビットに対して出力ビットの数を調整するためにレートマッチングも行う。畳み込み符号部２２３は、符号化したＤＣＩをＱＰＳＫ変調部２２５に出力する。ＱＰＳＫ変調部２２５は、畳み込み符号部２２３が符号化したＤＣＩを、ＱＰＳＫ変調方式で変調し、変調した変調シンボルの信号系列を、多重部２０７に出力する。下りリンクパイロットチャネル処理部２０５は、移動局装置５において既知の信号である下りリンク参照信号を生成し、多重部２０７に出力する。
【００７１】
多重部２０７は、下りリンクパイロットチャネル処理部２０５から入力された信号と、物理下りリンク共用チャネル処理部２０１各々から入力された信号と、物理下りリンク制御チャネル処理部２０３各々から入力された信号とを、制御部１０５からの指示に従って、下りリンク無線フレームに多重する。無線リソース制御部１０３によって設定されたＰＤＳＣＨに対する下りリンク物理リソースブロックの割り当て、ＰＤＣＣＨに対するリソースの割り当てに関する制御信号が制御部１０５に入力され、その制御信号に基づき、制御部１０５は多重部２０７の処理を制御する。
【００７２】
なお、多重部２０７は、ＰＤＳＣＨとＰＤＣＣＨの多重を、図１０に示したように時間多重で行う。また、多重部２０７は、下りリンクパイロットチャネルと、その他のチャネル間の多重は時間・周波数多重で行う。また、多重部２０７は、各移動局装置５宛てのＰＤＳＣＨの多重を下りリンク物理リソースブロックペア単位で行ない、１つの移動局装置５に対して複数の下りリンク物理リソースブロックペアを用いてＰＤＳＣＨを多重することもある。また、多重部２０７は、各移動局装置５宛てのＰＤＣＣＨの多重を制御チャネルエレメント（CCE: Control Channel Element）を用いて行う。多重部２０７は、多重化した信号を、ＩＦＦＴ部２０９に出力する。
【００７３】
ＩＦＦＴ部２０９は、多重部２０７が多重化した信号を高速逆フーリエ変換し、ＯＦＤＭ方式の変調を行ない、ＧＩ挿入部２１１に出力する。ＧＩ挿入部２１１は、ＩＦＦＴ部２０９がＯＦＤＭ方式の変調を行なった信号に、ガードインターバルを付加することで、ＯＦＤＭ方式におけるシンボルからなるベースバンドのディジタル信号を生成する。周知のように、ガードインターバルは、伝送するＯＦＤＭシンボルの先頭または末尾の一部を複製することによって生成される。ＧＩ挿入部２１１は、生成したベースバンドのディジタル信号をＤ／Ａ部２１３に出力する。Ｄ／Ａ部２１３は、ＧＩ挿入部２１１から入力されたベースバンドのディジタル信号をアナログ信号に変換し、送信ＲＦ部２１５に出力する。送信ＲＦ部２１５は、Ｄ／Ａ部２１３から入力されたアナログ信号から、中間周波数の同相成分および直交成分を生成し、中間周波数帯域に対する余分な周波数成分を除去する。次に、送信ＲＦ部２１５は、中間周波数の信号を高周波数の信号に変換（アップコンバート）し、余分な周波数成分を除去し、電力増幅し、送信アンテナ１１１を介して、移動局装置５に送信する。
【００７４】
＜基地局装置３の受信処理部１０１の構成＞
以下、基地局装置３の受信処理部１０１の詳細について説明する。図３は、本発明の実施形態に係る基地局装置３の受信処理部１０１の構成を示す概略ブロック図である。この図に示すように、受信処理部１０１は、受信ＲＦ部３０１、Ａ／Ｄ（Analog/Digital converter; アナログディジタル変換）部３０３、シンボルタイミング検出部３０９、ＧＩ除去部３１１、ＦＦＴ部３１３、サブキャリアデマッピング部３１５、伝搬路推定部３１７、ＰＵＳＣＨ用の伝搬路等化部３１９、ＰＵＣＣＨ用の伝搬路等化部３２１、ＩＤＦＴ部３２３、データ復調部３２５、ターボ復号部３２７、物理上りリンク制御チャネル検出部３２９および上りリンクチャネル品質測定部３３１を備える。
【００７５】
受信ＲＦ部３０１は、受信アンテナ１０９で受信された信号を、適切に増幅し、中間周波数に変換し（ダウンコンバート）、不要な周波数成分を除去し、信号レベルが適切に維持されるように増幅レベルを制御し、受信された信号の同相成分および直交成分に基づいて、直交復調する。受信ＲＦ部３０１は、直交復調したアナログ信号を、Ａ／Ｄ部３０３に出力する。Ａ／Ｄ部３０３は、受信ＲＦ部３０１が直交復調したアナログ信号をディジタル信号に変換し、変換したディジタル信号をシンボルタイミング検出部３０９とＧＩ除去部３１１に出力する。
【００７６】
シンボルタイミング検出部３０９は、Ａ／Ｄ部３０３より入力された信号に基づいて、シンボルのタイミングを検出し、検出したシンボル境界のタイミングを示す制御信号を、ＧＩ除去部３１１に出力する。ＧＩ除去部３１１は、シンボルタイミング検出部３０９からの制御信号に基づいて、Ａ／Ｄ部３０３より入力された信号からガードインターバルに相当する部分を除去し、残りの部分の信号を、ＦＦＴ部３１３に出力する。ＦＦＴ部３１３は、ＧＩ除去部３１１から入力された信号を高速フーリエ変換し、ＤＦＴ−Ｓｐｒｅａｄ−ＯＦＤＭ方式の復調を行ない、サブキャリアデマッピング部３１５に出力する。なお、ＦＦＴ部３１３のポイント数は、後述する移動局装置５のＩＦＦＴ部のポイント数と等しい。
【００７７】
サブキャリアデマッピング部３１５は、制御部１０５から入力された制御信号に基づき、ＦＦＴ部３１３が復調した信号を、上りリンクパイロットチャネルのＤＭ  ＲＳと、上りリンクパイロットチャネルのＳＲＳと、ＰＵＳＣＨの信号と、ＰＵＣＣＨの信号とに分離する。サブキャリアデマッピング部３１５は、分離したＤＭ  ＲＳを伝搬路推定部３１７に出力し、分離したＳＲＳを上りリンクチャネル品質測定部３３１に出力し、分離したＰＵＳＣＨの信号をＰＵＳＣＨ用の伝搬路等化部３１９に出力し、分離したＰＵＣＣＨの信号をＰＵＣＣＨ用の伝搬路等化部３２１に出力する。
【００７８】
伝搬路推定部３１７は、サブキャリアデマッピング部３１５が分離したＤＭ  ＲＳと既知の信号を用いて伝搬路の変動を推定する。伝搬路推定部３１７は、推定した伝搬路推定値を、ＰＵＳＣＨ用の伝搬路等化部３１９と、ＰＵＣＣＨ用の伝搬路等化部３２１に出力する。ＰＵＳＣＨ用の伝搬路等化部３１９は、サブキャリアデマッピング部３１５が分離したＰＵＳＣＨの信号の振幅および位相を、伝搬路推定部３１７から入力された伝搬路推定値に基づいて等化する。ここで、等化とは、信号が無線通信中に受けた伝搬路の変動を元に戻す処理のことを表す。ＰＵＳＣＨ用の伝搬路等化部３１９は、調整した信号をＩＤＦＴ部３２３に出力する。
【００７９】
ＩＤＦＴ部３２３は、ＰＵＳＣＨ用の伝搬路等化部３１９から入力された信号を離散逆フーリエ変換し、データ復調部３２５に出力する。データ復調部３２５は、ＩＤＦＴ部３２３が変換したＰＵＳＣＨの信号の復調を行ない、復調したＰＵＳＣＨの信号をターボ復号部３２７に出力する。この復調は、移動局装置５のデータ変調部で用いられる変調方式に対応した復調であり、変調方式は制御部１０５より入力される。ターボ復号部３２７は、データ復調部３２５から入力され、復調されたＰＵＳＣＨの信号から、情報データを復号する。符号化率は、制御部１０５より入力される。
【００８０】
ＰＵＣＣＨ用の伝搬路等化部３２１は、サブキャリアデマッピング部３１５で分離されたＰＵＣＣＨの信号の振幅および位相を、伝搬路推定部３１７から入力された伝搬路推定値に基づいて等化する。ＰＵＣＣＨ用の伝搬路等化部３２１は、等化した信号を物理上りリンク制御チャネル検出部３２９に出力する。
【００８１】
物理上りリンク制御チャネル検出部３２９は、ＰＵＣＣＨ用の伝搬路等化部３２１から入力された信号を復調、復号し、ＵＣＩを検出する。物理上りリンク制御チャネル検出部３２９は、周波数領域、および／または周波数領域で符号多重された信号を分離する処理を行う。物理上りリンク制御チャネル検出部３２９は、送信側で用いられた符号系列を用いて周波数領域、および／または時間領域で符号多重されたＰＵＣＣＨの信号からＡＣＫ／ＮＡＣＫの情報を検出するための処理を行う。具体的には、物理上りリンク制御チャネル検出部３２９は、周波数領域での符号系列を用いた検出処理、つまり周波数領域で符号多重された信号を分離する処理として、ＰＵＣＣＨのサブキャリア毎の信号に対して符号系列の各符号を乗算した後、符号を乗算した信号を合成する。具体的には、物理上りリンク制御チャネル検出部３２９は、時間領域での符号系列を用いた検出処理、つまり時間領域での符号多重された信号を分離する処理として、ＰＵＣＣＨのＳＣ−ＦＤＭＡシンボル毎の信号に対して符号系列の各符号を乗算した後、符号を乗算した信号を合成する。なお、物理上りリンク制御チャネル検出部３２９は、制御部１０５からの制御信号に基づき、ＰＵＣＣＨの信号に対する検出処理を設定する。
【００８２】
上りリンクチャネル品質測定部３３１は、サブキャリアデマッピング部３１５から入力されたＳＲＳを用いてチャネル品質を測定し、伝搬路を推定し、チャネル品質の測定結果、伝搬路推定値を制御部１０５に出力する。上りリンクチャネル品質測定部３３１は、どの上りリンクサブフレームの、どの周波数位置、どのぐらいの周波数帯域幅の信号に対して移動局装置５のチャネル品質の測定を行うかが制御部１０５より指示される。
【００８３】
制御部１０５は、基地局装置３が、移動局装置５にＰＤＣＣＨを用いて送信した制御情報（ＤＣＩ）、及びＰＤＳＣＨを用いて送信した制御情報に基づいて、サブキャリアデマッピング部３１５、データ復調部３２５、ターボ復号部３２７、伝搬路推定部３１７、物理上りリンク制御チャネル検出部３２９、および上りリンクチャネル品質測定部３３１の制御を行う。また、制御部１０５は、基地局装置３が移動局装置５に送信した制御情報に基づき、各移動局装置５が送信したＰＵＳＣＨ、ＰＵＣＣＨ、ＳＲＳがどのリソース（上りリンクサブフレーム、上りリンク物理リソースブロック、周波数位置、周波数帯域幅、周波数領域の符号系列、時間領域の符号系列）により構成されているかを把握している。
【００８４】
＜移動局装置５の全体構成＞
以下、図４、図５、図６を用いて、本実施形態に係る移動局装置５の構成について説明する。図４は、本発明の実施形態に係る移動局装置５の構成を示す概略ブロック図である。この図に示すように、移動局装置５は、受信処理部４０１、無線リソース制御部４０３、制御部４０５、送信処理部４０７を含んで構成される。
【００８５】
受信処理部４０１は、基地局装置３から信号を受信し、制御部４０５の指示に従い、受信信号を復調、復号する。受信処理部４０１は、自装置宛てのＰＤＣＣＨの信号を検出した場合は、ＰＤＣＣＨの信号を復号して取得したＤＣＩを制御部４０５に出力する。例えば、受信処理部４０１は、ＰＤＣＣＨに含まれるＡ−ＳＲＳの送信指示を示す制御情報、Ａ−ＳＲＳに用いられるパラメータがＰＤＣＣＨ（上りリンクグラント）で示される情報に基づくか否かを示す制御情報（第一の情報）、Ａ−ＳＲＳのパラメータを示す制御情報を制御部４０５に出力する。つまり、受信処理部４０１は、Ａ−ＳＲＳの送信指示を示す情報とＡ−ＳＲＳに用いられるパラメータがＰＤＣＣＨ（上りリンクグラント）で示される情報に基づくか否かを示す制御情報（第一の情報）を含む上りリンクグラントの検出処理を行う。また、受信処理部４０１は、ＰＤＣＣＨに含まれるＤＣＩを制御部４０５に出力した後の制御部４０５の指示に基づき、自装置宛てのＰＤＳＣＨを復号して得た情報データを、制御部４０５を介して上位層に出力する。ＰＤＣＣＨに含まれるＤＣＩの中で下りリンクアサインメントがＰＤＳＣＨのリソースの割り当てを示す情報を含む。また、受信処理部４０１は、ＰＤＳＣＨを復号して得た基地局装置３の無線リソース制御部１０３で生成された制御情報を制御部４０５に出力し、また制御部４０５を介して自装置の無線リソース制御部４０３に出力する。例えば、基地局装置３の無線リソース制御部１０３で生成された制御情報は、ＳＲＳのリソースの割り当て（Ｃｅｌｌ  ｓｐｅｃｉｆｉｃ  ＳＲＳ  ｓｕｂｆｒａｍｅの周期、開始位置、ＵＥ  ｓｐｅｃｉｆｉｃ  ＳＲＳ  ｓｕｂｆｒａｍｅの周期、開始位置、Ａ−ＳＲＳの候補リソースのパラメータ、Ｐ−ＳＲＳのリソースのパラメータ）を示す情報、Ａ−ＳＲＳを用いた処理を行うか否かを示す情報などを含む。
【００８６】
また、受信処理部４０１は、ＰＤＳＣＨに含まれる巡回冗長検査（Cyclic Redundancy Check: CRC）符号を制御部４０５に出力する。基地局装置３の説明では省略したが、基地局装置３の送信処理部１０７は情報データからＣＲＣ符号を生成し、情報データとＣＲＣ符号をＰＤＳＣＨで送信する。ＣＲＣ符号は、ＰＤＳＣＨに含まれるデータが誤っているか、誤っていないかを判断するために使われ、予め決められた生成多項式を用いてデータから生成された情報とＣＲＣ符号が同じ場合はデータが誤っていないと判断され、予め決められた生成多項式を用いてデータから生成された情報とＣＲＣ符号が異なる場合はデータが誤っていると判断される。受信処理部４０１の詳細については後述する。
【００８７】
制御部４０５は、ＰＤＳＣＨを用いて基地局装置３から送信され、受信処理部４０１より入力されたデータを確認し、データの中で情報データを上位層に出力し、データの中で基地局装置３の無線リソース制御部１０３で生成された制御情報に基づいて、受信処理部４０１、送信処理部４０７を制御する。また、制御部４０５は、無線リソース制御部４０３からの指示に基づき、受信処理部４０１、送信処理部４０７を制御する。例えば、制御部４０５は、無線リソース制御部４０３から指示された候補リソースでＡ−ＳＲＳを送信するように送信処理部４０７を制御する。例えば、制御部４０５は、無線リソース制御部４０３から指示されたＣｅｌｌ  ｓｐｅｃｉｆｉｃ  ＳＲＳ  ｓｕｂｆｒａｍｅ、またはＵＥ  ｓｐｅｃｉｆｉｃ  ＳＲＳ  ｓｕｂｆｒａｍｅをＡ−ＳＲＳを送信する上りリンクサブフレームに設定し、設定された上りリンクサブフレームでＡ−ＳＲＳを送信するように送信処理部４０７を制御する。
【００８８】
また、制御部４０５は、ＰＤＣＣＨを用いて基地局装置３から送信され、受信処理部４０１より入力されたＤＣＩに基づいて、受信処理部４０１、送信処理部４０７を制御する。具体的には、制御部４０５は検出された下りリンクアサインメントに基づき受信処理部４０１を制御し、検出された上りリンクグラントに基づき送信処理部４０７を制御する。例えば、制御部４０５は、Ａ−ＳＲＳの送信指示を含む上りリンクグラントを検出した場合、Ａ−ＳＲＳを送信するように送信処理部４０７を制御する。例えば、制御部４０５は、検出された上りリンクグラントで示されるＡ−ＳＲＳのパラメータに基づくリソースでＡ−ＳＲＳを送信するように送信処理部４０７を制御する。例えば、制御部４０５は、検出された上りリンクグラントで示される第一の情報がＡ−ＳＲＳに用いられるパラメータが上りリンクグラントで示される情報に基づくことを示した場合、Ａ−ＳＲＳを送信する上りリンクサブフレームとしてＣｅｌｌ  ｓｐｅｃｉｆｉｃ  ＳＲＳ  ｓｕｂｆｒａｍｅを設定し、検出された上りリンクグラントで示される第一の情報がＡ−ＳＲＳに用いられるパラメータが上りリンクグラントで示される情報に基づくことを示さなかった場合、Ａ−ＳＲＳを送信する上りリンクサブフレームとしてＵＥ  ｓｐｅｃｉｆｉｃ  ＳＲＳ  ｓｕｂｆｒａｍｅを設定し、設定された上りリンクサブフレームでＡ−ＳＲＳを送信するように送信処理部４０７を制御する。例えば、制御部４０５は、検出された上りリンクグラントで示される第一の情報がＡ−ＳＲＳに用いられるパラメータが上りリンクグラントで示される情報に基づくことを示した場合、Ａ−ＳＲＳの送信指示を含む上りリンクグラントで示されるパラメータに基づきＡ−ＳＲＳを送信するように送信処理部４０７を制御し、検出された上りリンクグラントで示される第一の情報がＡ−ＳＲＳに用いられるパラメータが上りリンクグラントで示される情報に基づくことを示さなかった場合、予め基地局装置３より構成されたパラメータに基づき（ＲＲＣシグナリングで基地局装置３より設定されたＡ−ＳＲＳの候補リソースを用いるということ）Ａ−ＳＲＳを送信するように送信処理部４０７を制御する。
【００８９】
制御部４０５は、自装置でのＵＣＩの生成を管理する。例えば、制御部４０５は受信処理部４０１よりデータとＣＲＣ符号が入力された場合、ＡＣＫ／ＮＡＣＫを生成する。予め決められた生成多項式を用いてデータから生成された情報とＣＲＣ符号が同じ場合は、ＡＣＫ／ＮＡＣＫでＡＣＫが示され、生成された情報とＣＲＣ符号が異なる場合は、ＡＣＫ／ＮＡＣＫでＮＡＣＫが示される。制御部４０５は、受信処理部４０１で検出されたＰＤＣＣＨに含まれるＤＣＩでリソースの割り当てが示されるＰＤＳＣＨのデータに対するＡＣＫ、またはＮＡＣＫを示すＡＣＫ／ＮＡＣＫを生成する。例えば、制御部４０５は、ＳＲ用のＰＵＣＣＨのリソースが基地局装置３より予め割り当てられた上りリンクサブフレームに対応するタイミングでＳＲを生成する。例えば、制御部４０５は、無線リソース制御部４０３において上りリンクのリソースが不足していると判断され、ＳＲの発生を要請する制御信号が無線リソース制御部４０３より入力された場合、ＳＲを発生させる。なお、無線リソース制御部４０３は、上りリンクのリソースが不足していると判断した状態で、基地局装置３より予め割り当てられたＳＲ用のＰＵＣＣＨのリソースが割り当てられる上りリンクサブフレームに対応して、ＳＲを発生させる制御信号を制御部４０５に出力する。なお、送信バッファに蓄積されたデータ量が所定の閾値を超えた場合などに、上りリンクのリソースが不足していると判断される。ここで、上りリンクサブフレームに対応するタイミングとは、その上りリンクサブフレームで信号を送信することができるように、少なくとも処理遅延の時間分、その上りリンクサブフレームより早いタイミングを意味する。例えば、制御部４０５、ＣＱＩ用のＰＵＣＣＨのリソースが基地局装置３より予め割り当てられた上りリンクサブフレームに対応するタイミングでＣＱＩを生成する。
【００９０】
無線リソース制御部４０３は、基地局装置３の無線リソース制御部１０３で生成され、基地局装置３より通知された制御情報を記憶して保持すると共に、制御部４０５を介して受信処理部４０１、送信処理部４０７の制御を行う。つまり、無線リソース制御部４０３は、各種パラメータなどを保持するメモリの機能を備える。例えば、無線リソース制御部４０３は、Ｃｅｌｌ  ｓｐｅｃｉｆｉｃ  ＳＲＳ  ｓｕｂｆｒａｍｅ、ＵＥ  ｓｐｅｃｉｆｉｃ  ＳＲＳ  ｓｕｂｆｒａｍｅのパラメータ（周期、開始位置）を保持する。例えば、無線リソース制御部４０３は、Ａ−ＳＲＳの候補リソースのパラメータを保持する。受信処理部４０１においてＡ−ＳＲＳの送信指示を示す上りリンクグラントが検出された場合、制御部４０５は、上りリンクグラントでＡ−ＳＲＳに用いられるパラメータが上りリンクグラントで示される情報に基づくことが示されなかった場合、無線リソース制御部４０３において保持されたＡ−ＳＲＳの候補リソースのパラメータを用いて送信処理部４０７においてＡ−ＳＲＳを送信するように制御する。
【００９１】
送信処理部４０７は、制御部４０５の指示に従い、情報データ、ＵＣＩを符号化し、変調した信号をＰＵＳＣＨ、ＰＵＣＣＨのリソースを用いて、基地局装置３に送信アンテナ４１１を介して送信する。また、送信処理部４０７は、制御部４０５の指示に従い、ＳＲＳ（Ａ−ＳＲＳ、Ｐ−ＳＲＳ）を送信する。送信処理部４０７の詳細については後述する。
【００９２】
＜移動局装置５の受信処理部４０１＞
以下、移動局装置５の受信処理部４０１の詳細について説明する。図５は、本発明の実施形態に係る移動局装置５の受信処理部４０１の構成を示す概略ブロック図である。この図に示すように、受信処理部４０１は、受信ＲＦ部５０１、Ａ／Ｄ部５０３、シンボルタイミング検出部５０５、ＧＩ除去部５０７、ＦＦＴ部５０９、多重分離部５１１、伝搬路推定部５１３、ＰＤＳＣＨ用の伝搬路補償部５１５、物理下りリンク共用チャネル復号部５１７、ＰＤＣＣＨ用の伝搬路補償部５１９、および、物理下りリンク制御チャネル復号部５２１、を含んで構成される。また、この図に示すように、物理下りリンク共用チャネル復号部５１７は、データ復調部５２３、および、ターボ復号部５２５、を備える。また、この図に示すように、物理下りリンク制御チャネル復号部５２１は、ＱＰＳＫ復調部５２７、および、ビタビデコーダ部５２９、を備える。
【００９３】
受信ＲＦ部５０１は、受信アンテナ４０９で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。受信ＲＦ部５０１は、直交復調したアナログ信号を、Ａ／Ｄ部５０３に出力する。
【００９４】
Ａ／Ｄ部５０３は、受信ＲＦ部５０１が直交復調したアナログ信号をディジタル信号に変換し、変換したディジタル信号を、シンボルタイミング検出部５０５と、ＧＩ除去部５０７と、に出力する。シンボルタイミング検出部５０５は、Ａ／Ｄ部５０３が変換したディジタル信号に基づいて、シンボルのタイミングを検出し、検出したシンボル境界のタイミングを示す制御信号を、ＧＩ除去部５０７に出力する。ＧＩ除去部５０７は、シンボルタイミング検出部５０５からの制御信号に基づいて、Ａ／Ｄ部５０３の出力したディジタル信号からガードインターバルに相当する部分を除去し、残りの部分の信号を、ＦＦＴ部５０９に出力する。ＦＦＴ部５０９は、ＧＩ除去部５０７から入力された信号を高速フーリエ変換し、ＯＦＤＭ方式の復調を行ない、多重分離部５１１に出力する。
【００９５】
多重分離部５１１は、制御部４０５から入力された制御信号に基づき、ＦＦＴ部５０９が復調した信号を、ＰＤＣＣＨの信号と、ＰＤＳＣＨの信号とに分離する。多重分離部５１１は、分離したＰＤＳＣＨの信号を、ＰＤＳＣＨ用の伝搬路補償部５１５に出力し、また、分離したＰＤＣＣＨの信号を、ＰＤＣＣＨ用の伝搬路補償部５１９に出力する。また、多重分離部５１１は、下りリンクパイロットチャネルが配置される下りリンクリソースエレメントを分離し、下りリンクパイロットチャネルの下りリンク参照信号を、伝搬路推定部５１３に出力する。
【００９６】
伝搬路推定部５１３は、多重分離部５１１が分離した下りリンクパイロットチャネルの下りリンク参照信号と既知の信号とを用いて伝搬路の変動を推定し、伝搬路の変動を補償するように、振幅および位相を調整するための伝搬路補償値を、ＰＤＳＣＨ用の伝搬路補償部５１５と、ＰＤＣＣＨ用の伝搬路補償部５１９に出力する。ＰＤＳＣＨ用の伝搬路補償部５１５は、多重分離部５１１が分離したＰＤＳＣＨの信号の振幅および位相を、伝搬路推定部５１３から入力された伝搬路補償値に従って調整する。ＰＤＳＣＨ用の伝搬路補償部５１５は、伝搬路を調整した信号を物理下りリンク共用チャネル復号部５１７のデータ復調部５２３に出力する。
【００９７】
物理下りリンク共用チャネル復号部５１７は、制御部４０５からの指示に基づき、ＰＤＳＣＨの復調、復号を行ない、情報データを検出する。データ復調部５２３は、伝搬路補償部５１５から入力されたＰＤＳＣＨの信号の復調を行ない、復調したＰＤＳＣＨの信号をターボ復号部５２５に出力する。この復調は、基地局装置３のデータ変調部２２１で用いられる変調方式に対応した復調である。ターボ復号部５２５は、データ復調部５２３から入力され、復調されたＰＤＳＣＨの信号から情報データを復号し、制御部４０５を介して上位層に出力する。なお、ＰＤＳＣＨを用いて送信された、基地局装置３の無線リソース制御部１０３で生成された制御情報等も制御部４０５に出力され、制御部４０５を介して無線リソース制御部４０３にも出力される。なお、ＰＤＳＣＨに含まれるＣＲＣ符号も制御部４０５に出力される。
【００９８】
ＰＤＣＣＨ用の伝搬路補償部５１９は、多重分離部５１１が分離したＰＤＣＣＨの信号の振幅および位相を、伝搬路推定部５１３から入力された伝搬路補償値に従って調整する。ＰＤＣＣＨ用の伝搬路補償部５１９は、調整した信号を物理下りリンク制御チャネル復号部５２１のＱＰＳＫ復調部５２７に出力する。
【００９９】
物理下りリンク制御チャネル復号部５２１は、以下のように、ＰＤＣＣＨ用の伝搬路補償部５１９から入力された信号を復調、復号し、制御データを検出する。ＱＰＳＫ復調部５２７は、ＰＤＣＣＨの信号に対してＱＰＳＫ復調を行ない、ビタビデコーダ部５２９に出力する。ビタビデコーダ部５２９は、ＱＰＳＫ復調部５２７が復調した信号を復号し、復号したＤＣＩを制御部４０５に出力する。ここで、この信号はビット単位で表現され、ビタビデコーダ部５２９は、入力ビットに対してビタビデコーディング処理を行うビットの数を調整するためにレートデマッチングも行う。
【０１００】
移動局装置５は、異なるビットサイズのＤＣＩ  ｆｏｒｍａｔ毎に異なる復号処理をＰＤＣＣＨの信号に対して行ない、ＤＣＩと一緒にＰＤＣＣＨに付加されるＣＲＣ符号に誤りが検出されなかったＰＤＣＣＨに含まれるＤＣＩを取得する。このような処理をブラインドデコーディングと称す。なお、移動局装置５は、下りリンクサブフレーム毎に同時にブラインドデコーディングを行うＤＣＩ  ｆｏｒｍａｔの種類が基地局装置３から予め指定される。例えば、物理下りリンク制御チャネル復号部５２１は、ＤＣＩ  ｆｏｒｍａｔ  ０Ａを想定した復号処理をＰＤＣＣＨの信号に対して、制御情報の検出処理を行う。
【０１０１】
なお、制御部４０５は、ビタビデコーダ部５２９より入力されたＤＣＩが誤りなく、自装置宛てのＤＣＩかを判定し、誤りなく、自装置宛てのＤＣＩと判定した場合、ＤＣＩに基づいて多重分離部５１１、データ復調部５２３、ターボ復号部５２５、および送信処理部４０７、を制御する。例えば、制御部４０５は、ＤＣＩがＡ−ＳＲＳの送信指示を示す上りリンクグラントである場合、送信処理部４０７でＡ−ＳＲＳを送信するように制御する。
【０１０２】
＜移動局装置５の送信処理部４０７＞
図６は、本発明の実施形態に係る移動局装置５の送信処理部４０７の構成を示す概略ブロック図である。この図に示すように、送信処理部４０７は、ターボ符号部６１１、データ変調部６１３、ＤＦＴ部６１５、上りリンクパイロットチャネル処理部６１７、物理上りリンク制御チャネル処理部６１９、サブキャリアマッピング部６２１、ＩＦＦＴ部６２３、ＧＩ挿入部６２５、送信電力調整部６２７、Ｄ／Ａ部６０５、送信ＲＦ部６０７、および、送信アンテナ４１１を含んで構成される。また、本発明は、説明の便宜上、移動局装置５において送信アンテナ４１１の数が１本で構成される場合について説明するが、送信アンテナ４１１の数が２本以上で構成され、関連する処理部（サブキャリアマッピング部６２１、ＩＦＦＴ部６２３、ＧＩ挿入部６２５、送信電力調整部６２７、Ｄ／Ａ部６０５、送信ＲＦ部６０７）が２個以上構成されてもよい。
【０１０３】
ターボ符号部６１１は、入力された情報データを、制御部４０５から指示された符号化率で、データの誤り耐性を高めるためのターボ符号化を行ない、データ変調部６１３に出力する。データ変調部６１３は、ターボ符号部６１１が符号化した符号データを、制御部４０５から指示された変調方式、例えば、ＱＰＳＫ、１６ＱＡＭ、６４ＱＡＭのような変調方式で変調し、変調シンボルの信号系列を生成する。データ変調部６１３は、生成した変調シンボルの信号系列を、ＤＦＴ部６１５に出力する。ＤＦＴ部６１５は、データ変調部６１３が出力した信号を離散フーリエ変換し、サブキャリアマッピング部６２１に出力する。
【０１０４】
物理上りリンク制御チャネル処理部６１９は、制御部４０５から入力されたＵＣＩを伝送するためのベースバンド信号処理を行う。物理上りリンク制御チャネル処理部６１９に入力されるＵＣＩは、ＡＣＫ／ＮＡＣＫ、ＳＲ、ＣＱＩである。物理上りリンク制御チャネル処理部６１９は、ＵＣＩから生成される信号に対して周波数領域の符号多重および／または時間領域の符号多重に関連する信号処理を行う。物理上りリンク制御チャネル処理部６１９は、ＡＣＫ／ＮＡＣＫ、ＳＲ、ＣＱＩの送信に用いられるＰＵＣＣＨの信号に対して周波数領域の符号多重を実現するために制御部４０５から指示された符号系列を乗算する。物理上りリンク制御チャネル処理部６１９は、ＡＣＫ／ＮＡＣＫ、ＳＲの送信に用いられるＰＵＣＣＨの信号に対して時間領域の符号多重を実現するために制御部４０５から指示された符号系列を乗算する。物理上りリンク制御チャネル処理部６１９は、ベースバンド信号処理を行ない、生成した信号をサブキャリアマッピング部６２１に出力する。
【０１０５】
上りリンクパイロットチャネル処理部６１７は、基地局装置３において既知の信号であるＵＬ  ＲＳ（ＤＭ  ＲＳ、Ｐ−ＳＲＳ、Ａ−ＳＲＳ）を制御部４０５からの指示に基づき生成し、サブキャリアマッピング部６２１に出力する。
【０１０６】
サブキャリアマッピング部６２１は、上りリンクパイロットチャネル処理部６１７から入力された信号と、ＤＦＴ部６１５から入力された信号と、物理上りリンク制御チャネル処理部６１９から入力された信号とを、制御部４０５からの指示に従ってサブキャリアに配置し、ＩＦＦＴ部６２３に出力する。なお、サブキャリアマッピング部６２１は、Ａ−ＳＲＳのリソースの配置、Ｐ−ＳＲＳのリソースの配置、ＰＵＳＣＨ内におけるＤＭ  ＲＳのリソースの配置、ＰＵＣＣＨ内におけるＤＭ  ＲＳのリソースの配置を、図１２に示したように配置して、出力する。
【０１０７】
ＩＦＦＴ部６２３は、サブキャリアマッピング部６２１が出力した信号を高速逆フーリエ変換し、ＧＩ挿入部６２５に出力する。ここで、ＩＦＦＴ部６２３のポイント数はＤＦＴ部６１５のポイント数よりも多く、移動局装置５は、ＤＦＴ部６１５、サブキャリアマッピング部６２１、ＩＦＦＴ部６２３を用いることにより、ＰＵＳＣＨを用いて送信する信号に対してＤＦＴ−Ｓｐｒｅａｄ−ＯＦＤＭ方式の変調を行う。ＧＩ挿入部６２５は、ＩＦＦＴ部６２３から入力された信号に、ガードインターバルを付加し、送信電力調整部６２７に出力する。
【０１０８】
送信電力調整部６２７は、ＧＩ挿入部６２５から入力された信号に対して、制御部４０５からの制御信号に基づき送信電力を調整してＤ／Ａ部６０５に出力する。なお、送信電力調整部６２７では、ＰＵＳＣＨ、ＰＵＣＣＨ、ＤＭ  ＲＳ、ＳＲＳ（Ｐ−ＳＲＳ、Ａ−ＳＲＳ）の平均送信電力が上りリンクサブフレーム毎に制御される。
【０１０９】
Ｄ／Ａ部６０５は、送信電力調整部６２７から入力されたベースバンドのディジタル信号をアナログ信号に変換し、送信ＲＦ部６０７に出力する。送信ＲＦ部６０７は、Ｄ／Ａ部６０５から入力されたアナログ信号から、中間周波数の同相成分および直交成分を生成し、中間周波数帯域に対する余分な周波数成分を除去する。次に、送信ＲＦ部６０７は、中間周波数の信号を高周波数の信号に変換（アップコンバート）し、余分な周波数成分を除去し、電力増幅し、送信アンテナ４１１を介して、基地局装置３に送信する。
【０１１０】
＜Ｃｅｌｌ  ｓｐｅｃｉｆｉｃ  ＳＲＳ  ｓｕｂｆｒａｍｅとＵＥ  ｓｐｅｃｉｆｉｃ  ＳＲＳ  ｓｕｂｆｒａｍｅでのＡ−ＳＲＳの送信＞
図７は、本発明の実施形態に係る移動局装置５のＡ−ＳＲＳの送信例を示す図である。ここでは、図１４に示すようにＣｅｌｌ  ｓｐｅｃｉｆｉｃ  ＳＲＳ  ｓｕｂｆｒａｍｅとＵＥ  ｓｐｅｃｉｆｉｃ  ＳＲＳ  ｓｕｂｆｒａｍｅが構成されている場合について説明する。また、ここでは、図１７に示すようにＡ−ＳＲＳの候補リソースが移動局装置５に対して構成されている場合について説明する。図７において、上部は上りリンクにおいて送信されるＡ−ＳＲＳについて示し、下部は下りリンクにおいて検出されるＤＣＩ  ｆｏｒｍａｔ  ０Ａ（ＤＣＩ  ｆｏｒｍａｔ  ０Ａ  １、ＤＣＩ  ｆｏｒｍａｔ  ０Ａ  ２）について示す。図７において、ＤＣＩ  ｆｏｒｍａｔ  ０Ａ  １は、所定の情報フィールド（図１１におけるＡ−ＳＲＳ  ａｃｔｉｖａｔｉｏｎ／ｄｅａｃｔｉｖａｔｉｏｎ）がＡ−ＳＲＳの送信を指示することを示し、異なる所定の情報フィールド（図１１におけるＡ−ＳＲＳ  ｄｙｎａｍｉｃ  ｐａｒａｍｅｔｅｒ  ｉｎｄｉｃａｔｏｒ  ｏｒ  Ｒｅｓｏｕｒｃｅ  ｂｌｏｃｋ  ａｓｓｉｇｎｍｅｎｔ）がＡ−ＳＲＳに用いられるパラメータがＰＤＣＣＨで示される情報に基づくことを示さないＤＣＩ  ｆｏｒｍａｔ  ０Ａを意味する。図７において、ＤＣＩ  ｆｏｒｍａｔ  ０Ａ  ２は、所定の情報フィールド（図１１におけるＡ−ＳＲＳ  ａｃｔｉｖａｔｉｏｎ／ｄｅａｃｔｉｖａｔｉｏｎ）がＡ−ＳＲＳの送信を指示することを示し、異なる所定の情報フィールド（図１１におけるＡ−ＳＲＳ  ｄｙｎａｍｉｃ  ｐａｒａｍｅｔｅｒ  ｉｎｄｉｃａｔｏｒ  ｏｒ  Ｒｅｓｏｕｒｃｅ  ｂｌｏｃｋ  ａｓｓｉｇｎｍｅｎｔ）がＡ−ＳＲＳに用いられるパラメータがＰＤＣＣＨで示される情報に基づくことを示すＤＣＩ  ｆｏｒｍａｔ  ０Ａを意味する。なお、図７において、同一の番号の上りリンクサブフレームと下りリンクサブフレームはタイミングが等しいものとする。
【０１１１】
下りリンクサブフレーム＃１でＤＣＩ  ｆｏｒｍａｔ  ０Ａ  １を検出した移動局装置５は、４個の上りリンクサブフレーム以降の最初のＵＥ  ｓｐｅｃｉｆｉｃ  ＳＲＳ  ｓｕｂｆｒａｍｅである上りリンクサブフレーム＃５でＡ−ＳＲＳを送信する。上りリンクグラントの検出処理、ＳＲＳの送信処理の設定などに係る処理遅延を考慮して、適切にＡ−ＳＲＳを移動局装置５が送信することができるように、Ａ−ＳＲＳの送信指示を示す情報を含む上りリンクグラントが検出されたタイミングから４個の上りリンクサブフレーム以降の上りリンクサブフレームがＡ−ＳＲＳの送信に用いる上りリンクサブフレームに設定される。移動局装置５は、上りリンクサブフレーム＃５で予めＲＲＣシグナリングで構成されたＡ−ＳＲＳの候補リソースを用いる。なお、図示は省略するが、移動局装置５は、下りリンクサブフレーム＃１で検出したＤＣＩ  ｆｏｒｍａｔ  ０Ａ  １で示されるＰＵＳＣＨのリソースの割り当てに関する情報に基づいて４個の上りリンクサブフレーム後の上りリンクサブフレーム＃５でＰＵＳＣＨを送信する。なお、Ｃｅｌｌ  ｓｐｅｃｉｆｉｃ  ＳＲＳ  ｓｕｂｆｒａｍｅでＳＲＳは１４番目のＳＣ−ＦＤＭＡシンボルで送信され、ＰＵＳＣＨは１番目から１３番目のＳＣ−ＦＤＭＡシンボルで送信される。下りリンクサブフレーム＃２でＤＣＩ  ｆｏｒｍａｔ  ０Ａ  ２を検出した移動局装置５は、４個の上りリンクサブフレーム以降の最初のＣｅｌｌ  ｓｐｅｃｉｆｉｃ  ＳＲＳ  ｓｕｂｆｒａｍｅである上りリンクサブフレーム＃７でＡ−ＳＲＳを送信する。移動局装置５は、上りリンクサブフレーム＃７でＤＣＩ  ｆｏｒｍａｔ  ０Ａ  ２で示されるパラメータに基づくＡ−ＳＲＳのリソースを用いる。下りリンクサブフレーム＃４でＤＣＩ  ｆｏｒｍａｔ  ０Ａ  １を検出した移動局装置５は、４個の上りリンクサブフレーム以降の最初のＵＥ  ｓｐｅｃｉｆｉｃ  ＳＲＳ  ｓｕｂｆｒａｍｅである上りリンクサブフレーム＃９でＡ−ＳＲＳを送信する。移動局装置５は、上りリンクサブフレーム＃９で予めＲＲＣシグナリングで構成されたＡ−ＳＲＳの候補リソースを用いる。なお、図示は省略するが、移動局装置５は、下りリンクサブフレーム＃４で検出したＤＣＩ  ｆｏｒｍａｔ  ０Ａ  １でＰＵＳＣＨのリソースの割り当てに関する情報に基づいて４個の上りリンクサブフレーム後の上りリンクサブフレーム＃８でＰＵＳＣＨを送信する。下りリンクサブフレーム＃７でＤＣＩ  ｆｏｒｍａｔ  ０Ａ  ２を検出した移動局装置５は、４個の上りリンクサブフレーム以降の最初のＣｅｌｌ  ｓｐｅｃｉｆｉｃ  ＳＲＳ  ｓｕｂｆｒａｍｅである上りリンクサブフレーム＃１１でＡ−ＳＲＳを送信する。移動局装置５は、上りリンクサブフレーム＃１１でＤＣＩ  ｆｏｒｍａｔ  ０Ａ  ２で示されるパラメータに基づくＡ−ＳＲＳのリソースを用いる。
【０１１２】
以上のように、移動局装置５がＡ−ＳＲＳを送信する上りリンクサブフレームとしてＣｅｌｌ  ｓｐｅｃｉｆｉｃ  ＳＲＳ  ｓｕｂｆｒａｍｅ、またはＵＥ  ｓｐｅｃｉｆｉｃ  ＳＲＳ  ｓｕｂｆｒａｍｅを、上りリンクグラント（ＤＣＩ  ｆｏｒｍａｔ  ０Ａ）のＡ−ＳＲＳに用いられるパラメータがＰＤＣＣＨで示される情報に基づくことを示すか否かに基づいて設定することにより、基地局装置３は柔軟にＡ−ＳＲＳの送信を移動局装置５に対して制御することができ、上りリンクのチャネル品質を効率良く測定することができる。基地局装置３は、管理するセル内において各移動局装置５に対するスケジューリングの結果、ＳＲＳに用いるリソースに余裕が生じた場合は、図７で説明したように、ＵＥ  ｓｐｅｃｉｆｉｃ  ＳＲＳ  ｓｕｂｆｒａｍｅではないＣｅｌｌ  ｓｐｅｃｉｆｉｃ  ＳＲＳ  ｓｕｂｆｒａｍｅで柔軟にＡ−ＳＲＳのリソースを割り当てることができるので、Ａ−ＳＲＳの送信指示を示すことにより、ＵＥ  ｓｐｅｃｉｆｉｃ  ＳＲＳ  ｓｕｂｆｒａｍｅに限定したリソースを割り当て、Ａ−ＳＲＳの送信指示を示す場合と比較して、リソースの利用状況に合わせた周波数帯域のチャネル品質を高速に測定することができる。例えば、基地局装置３は、広い周波数帯域のチャネル品質を高速に測定することができる。広い周波数帯域のチャネル品質を高速に測定することができる。ここで、ＳＲＳに用いるリソースに余裕が生じた状態とは、ある上りリンクサブフレームのタイミングでＳＲＳを送信する必要のある移動局装置５が少なくなり、ＳＲＳを送信する必要のある移動局装置５に対して集中的にＳＲＳのリソースを割り当てることができるような状態を意味する。図１７に示すように、基地局装置３はＵＥ  ｓｐｅｃｉｆｉｃ  ＳＲＳ  ｓｕｂｆｒａｍｅに限定したリソースを割り当て、Ａ−ＳＲＳを送信させる場合、システム帯域の全体のチャネル品質を測定するためには、最低でも１３個の上りリンクサブフレームに相当する時間が必要だが、図７に示すように、基地局装置３は、移動局装置５の伝搬路状況、ＳＲＳのリソースの利用状況に合わせて、Ｃｅｌｌ  ｓｐｅｃｉｆｉｃ  ＳＲＳ  ｓｕｂｒａｍｅに柔軟にＡ−ＳＲＳのリソースを割り当て、Ａ−ＳＲＳを送信させることにより、７個の上りリンクサブフレームに相当する時間でシステム帯域の全体のチャネル品質を測定することができる。このように、本発明は基地局装置３が適切にチャネル品質を測定するために必要な時間を短縮することができ、効率的な周波数スケジューリング、適応変調を開始するまでの時間を短縮することができる。その結果、移動局装置５を用いて通信を行うユーザの満足度を向上させることができる。なお、移動局装置５が最大で送信することができる送信電力の値は限界があり、伝搬路の状況が悪い移動局装置５は、広い周波数帯域のＳＲＳを要求品質を満足しつつ送信することはできず、限られた範囲の周波数帯域のＳＲＳしか送信することができず、異なる上りリンクサブフレームでＳＲＳを複数回送信するしか、基地局装置３は広い周波数帯域のチャネル品質を測定することはできない。
【０１１３】
なお、上記でも説明したように、Ｃｅｌｌ  ｓｐｅｃｉｆｉｃ  ＳＲＳ  ｓｕｂｆｒａｍｅとＵＥ  ｓｐｅｃｉｆｉｃ  ＳＲＳ  ｓｕｂｆｒａｍｅは相互排他の関係ではない。ＵＥ  ｓｐｅｃｉｆｉｃ  ＳＲＳ  ｓｕｂｆｒａｍｅは、Ｃｅｌｌ  ｓｐｅｃｉｆｉｃ  ＳＲＳ  ｓｕｂｆｒａｍｅの一部である。図７の説明を言い換えると、ＤＣＩ  ｆｏｒｍａｔ  ０Ａ  １を検出した移動局装置５は、Ｃｅｌｌ  ｓｐｅｃｉｆｉｃ  ＳＲＳ  ｓｕｂｆｒａｍｅ内の上りリンクサブフレームであって、ＵＥ  ｓｐｅｃｉｆｉｃ  ＳＲＳ  ｓｕｂｆｒａｍｅである上りリンクサブフレームのみをＡ−ＳＲＳを送信する上りリンクサブフレームとして設定し、ＤＣＩ  ｆｏｒｍａｔ  ０Ａ  ２を検出した移動局装置５は、Ｃｅｌｌ  ｓｐｅｃｉｆｉｃ  ＳＲＳ  ｓｕｂｆｒａｍｅ内の上りリンクサブフレームであって、ＵＥ  ｓｐｅｃｉｆｉｃ  ＳＲＳ  ｓｕｂｆｒａｍｅである上りリンクサブフレームまたはＵＥ  ｓｐｅｃｉｆｉｃ  ＳＲＳ  ｓｕｂｆｒａｍｅではない上りリンクサブフレームをＡ−ＳＲＳを送信する上りリンクサブフレームとして設定する。
【０１１４】
図８は、本発明の実施形態に係る移動局装置５の制御部４０５のＡ−ＳＲＳを送信する上りリンクサブフレームの設定に関する処理の一例を示すフローチャートである。移動局装置５の制御部４０５は、受信処理部４０１においてＡ−ＳＲＳの送信指示を示す上りリンクグラント（ＤＣＩ  ｆｏｒｍａｔ  ０Ａ）が検出されたか否かを判定する（ステップＳ１０１）。制御部４０５は、受信処理部４０１においてＡ−ＳＲＳの送信指示を示す上りリンクグラントが検出されたと判定した場合（ステップＳ１０１：YES）、Ａ−ＳＲＳに用いられるパラメータが上りリンクグラントで示される情報に基づくことが示されたか否かを判定する（ステップＳ１０２）。制御部４０５は、Ａ−ＳＲＳに用いられるパラメータが上りリンクグラントで示される情報に基づくことが示されたと判定した場合（ステップＳ１０２：YES）、Ａ−ＳＲＳを送信する上りリンクサブフレームとしてＣｅｌｌ  ｓｐｅｃｉｆｉｃ  ＳＲＳ  ｓｕｂｆｒａｍｅを設定する（ステップＳ１０３）。制御部４０５は、Ａ−ＳＲＳに用いられるパラメータが上りリンクグラントで示される情報に基づくことが示されなかったと判定した場合（ステップＳ１０２：NO）、Ａ−ＳＲＳを送信する上りリンクサブフレームとしてＵＥ  ｓｐｅｃｉｆｉｃ  ＳＲＳ  ｓｕｂｆｒａｍｅを設定する（ステップＳ１０４）。一方、制御部４０５は、受信処理部４０１においてＡ−ＳＲＳの送信指示を示す上りリンクグラント（ＤＣＩ  ｆｏｒｍａｔ  ０Ａ）が検出されなかったと判定した場合（ステップＳ１０１：NO）、Ａ−ＳＲＳを送信する上りリンクフレームの設定に関する処理を何も行なわない。ステップＳ１０３、またはステップＳ１０４の後、移動局装置５の送信処理部４０７は、制御部４０５において設定された上りリンクサブフレームでＡ−ＳＲＳを送信する。
【０１１５】
以上のように、本発明の実施形態では、移動局装置５は、Ａ−ＳＲＳに用いられるパラメータが上りリンクグラントで示される情報に基づくか否かを示す情報（第一の情報）に基づいて、Ａ−ＳＲＳを送信する上りリンクサブフレームとしてＣｅｌｌ  ｓｐｅｃｉｆｉｃ  ＳＲＳ  ｓｕｂｆｒａｍｅ、またはＵＥ  ｓｐｅｃｉｆｉｃ  ＳＲＳ  ｓｕｂｆｒａｍｅを設定することにより、基地局装置３は柔軟にＡ−ＳＲＳの送信を移動局装置５に対して制御することができ、上りリンクのチャネル品質を効率良く測定することができる。より詳細には、移動局装置５は、Ａ−ＳＲＳに用いられるパラメータが上りリンクグラントで示される情報に基づくことを示された場合、Ａ−ＳＲＳを送信する上りリンクサブフレームとしてＣｅｌｌ  ｓｐｅｃｉｆｉｃ  ＳＲＳ  ｓｕｂｆｒａｍｅを設定し、Ａ−ＳＲＳに用いられるパラメータが上りリンクグラントで示される情報に基づくことを示されなかった場合、Ａ−ＳＲＳを送信する上りリンクサブフレームとしてＵＥ  ｓｐｅｃｉｆｉｃ  ＳＲＳ  ｓｕｂｆｒａｍｅを設定することにより、基地局装置３は柔軟にＡ−ＳＲＳの送信を移動局装置５に対して制御することができ、上りリンクのチャネル品質を効率良く測定することができる。移動局装置５は、Ａ−ＳＲＳに用いられるパラメータが上りリンクグラントで示される情報に基づくことを示された場合、Ｃｅｌｌ  ｓｐｅｃｉｆｉｃ  ＳＲＳ  ｓｕｂｆｒａｍｅで上りリンクグラントで示されるパラメータに基づくリソースでＡ−ＳＲＳを送信し、Ａ−ＳＲＳに用いられるパラメータが上りリンクグラントで示される情報に基づくことを示されなかった場合、ＵＥ  ｓｐｅｃｉｆｉｃ  ＳＲＳ  ｓｕｂｆｒａｍｅで予め基地局装置３より構成されたパラメータに基づくリソースでＡ−ＳＲＳを送信することにより、基地局装置３は管理するセル内において各移動局装置５に対するスケジューリングの結果ＳＲＳに用いるリソースに余裕が生じた場合は、リソースの利用状況に合わせて広い周波数帯域のチャネル品質を高速に測定することができる。なお、移動局装置５は、Ａ−ＳＲＳに用いられるパラメータが上りリンクグラントで示される情報に基づくか否かを示す情報に基づいて、Ａ−ＳＲＳを送信する上りリンクサブフレームとしてＣｅｌｌ  ｓｐｅｃｉｆｉｃ  ＳＲＳ  ｓｕｂｆｒａｍｅ、またはＵＥ  ｓｐｅｃｉｆｉｃ  ＳＲＳ  ｓｕｂｆｒａｍｅを暗黙的に設定するので、Ａ−ＳＲＳを送信する上りリンクサブフレームとしてＣｅｌｌ  ｓｐｅｃｉｆｉｃ  ＳＲＳ  ｓｕｂｆｒａｍｅ、またはＵＥ  ｓｐｅｃｉｆｉｃ  ＳＲＳ  ｓｕｂｆｒａｍｅを設定することを示す情報を上りリンクグラントで明示的に示す（専用の情報フィールドを用いる、専用のコードポイントを用いる）必要はないので、上りリンクグラントの制御情報のオーバヘッドを抑えることができる。
【０１１６】
また、移動局装置５とは、移動する端末に限らず、固定端末に移動局装置５の機能を実装することなどにより本発明を実現しても良い。
【０１１７】
以上説明した本発明の特徴的な手段は、集積回路に機能を実装し、制御することによっても実現することができる。すなわち、本発明の集積回路は、移動局装置に実装されることにより、前記移動局装置に複数の機能を発揮させる集積回路であって、基地局装置と通信する機能と、サウンディング参照信号の送信指示と第一の情報を含む上りリンクグラントの検出処理を行う機能と、サウンディング参照信号の送信指示を含む上りリンクグラントが検出された場合、サウンディング参照信号を送信するサブフレームとしてセル固有のサブフレーム、またはセル固有のサブフレームの中で予め基地局装置より構成されたサブフレームを前記第一の情報に基づいて設定する機能と、設定されたサブフレームでサウンディング参照信号を送信する機能と、を含む一連の機能を、前記移動局装置に発揮させることを特徴とする。
【０１１８】
このように、本発明の集積回路を用いた移動局装置５は、Ａ−ＳＲＳの送信指示を示す情報と共に上りリンク含まれる第一の情報（Ａ−ＳＲＳに用いられるパラメータが上りリンクグラントで示される情報に基づくか否かを示す情報）に基づいて、Ａ−ＳＲＳを送信する上りリンクサブフレームとしてＣｅｌｌ  ｓｐｅｃｉｆｉｃ  ＳＲＳ  ｓｕｂｆｒａｍｅ、またはＵＥ  ｓｐｅｃｉｆｉｃ  ＳＲＳ  ｓｕｂｆｒａｍｅを設定することにより、基地局装置３は上りリンクサブフレーム毎に動的に、柔軟にＡ−ＳＲＳの送信を移動局装置５に対して制御することができ、上りリンクのチャネル品質を効率良く測定することができる。
【０１１９】
本発明の実施形態に記載の動作をプログラムで実現してもよい。本発明に関わる移動局装置５および基地局装置３で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１２０】
また市場に流通させる場合には、可搬型の記録媒体にプログラムを格納して流通させたり、インターネット等のネットワークを介して接続されたサーバコンピュータに転送させたりすることができる。この場合、サーバコンピュータの記憶装置も本発明に含まれる。また、上述した実施形態における移動局装置５および基地局装置３の一部、または全部を典型的には集積回路であるＬＳＩとして実現してもよい。移動局装置５および基地局装置３の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１２１】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０１２２】
３  基地局装置
５（Ａ〜Ｃ）  移動局装置
１０１  受信処理部
１０３  無線リソース制御部
１０５  制御部
１０７  送信処理部
１０９  受信アンテナ
１１１  送信アンテナ
２０１  物理下りリンク共用チャネル処理部
２０３  物理下りリンク制御チャネル処理部
２０５  下りリンクパイロットチャネル処理部
２０７  多重部
２０９  ＩＦＦＴ部
２１１  ＧＩ挿入部
２１３  Ｄ／Ａ部
２１５  送信ＲＦ部
２１９  ターボ符号部
２２１  データ変調部
２２３  畳み込み符号部
２２５  ＱＰＳＫ変調部
３０１  受信ＲＦ部
３０３  Ａ／Ｄ部
３０９  シンボルタイミング検出部
３１１  ＧＩ除去部
３１３  ＦＦＴ部
３１５  サブキャリアデマッピング部
３１７  伝搬路推定部
３１９  ＰＵＳＣＨ用の伝搬路等化部
３２１  ＰＵＣＣＨ用の伝搬路等化部
３２３  ＩＤＦＴ部
３２５  データ復調部
３２７  ターボ復号部
３２９  物理上りリンク制御チャネル検出部
３３１  上りリンクチャネル品質測定部
４０１  受信処理部
４０３  無線リソース制御部
４０５  制御部
４０７  送信処理部
４０９  受信アンテナ
４１１  送信アンテナ
５０１  受信ＲＦ部
５０３  Ａ／Ｄ部
５０５  シンボルタイミング検出部
５０７  ＧＩ除去部
５０９  ＦＦＴ部
５１１  多重分離部
５１３  伝搬路推定部
５１５  ＰＤＳＣＨ用の伝搬路補償部
５１７  物理下りリンク共用チャネル復号部
５１９  ＰＤＣＣＨ用の伝搬路補償部
５２１  物理下りリンク制御チャネル復号部
５２３  データ復調部
５２５  ターボ復号部
５２７  ＱＰＳＫ復調部
５２９  ビタビデコーダ部
６０５  Ｄ／Ａ部
６０７  送信ＲＦ部
６１１  ターボ符号部
６１３  データ変調部
６１５  ＤＦＴ部
６１７  上りリンクパイロットチャネル処理部
６１９  物理上りリンク制御チャネル処理部
６２１  サブキャリアマッピング部
６２３  ＩＦＦＴ部
６２５  ＧＩ挿入部
６２７  送信電力調整部
【図１】
2012095184.tif 000003
【図２】
2012095184.tif 000004
【図３】
2012095184.tif 000005
【図４】
2012095184.tif 000006
【図５】
2012095184.tif 000007
【図６】
2012095184.tif 000008
【図７】
2012095184.tif 000009
【図８】
2012095184.tif 000010
【図９】
2012095184.tif 000011
【図１０】
2012095184.tif 000012
【図１１】
2012095184.tif 000013
【図１２】
2012095184.tif 000014
【図１３】
2012095184.tif 000015
【図１４】
2012095184.tif 000016
【図１５】
2012095184.tif 000017
【図１６】
2012095184.tif 000018
【図１７】
2012095184.tif 000019